【事件の表示】
　特許第３０１６４８２号「再生装置」の請求項１に係る特許に対する特許異議の申立てについて、次のとおり決定する。
【結　論】
　訂正を認める。
　特許第３０１６４８２号の請求項１に係る特許を維持する。
【理　由】
［１］手続の経緯
　本件特許３０１６４８２号の発明は、昭和６１年５月２１日に特許出願され、平成１１年１２月２４日にその特許の設定登録がなされ、その後、戸叶孝一より特許異議の申立がなされ、取消理由通知がなされ、その指定期間内である平成１３年１月２３日に訂正請求がなされたものである。
　
［２］訂正の適否についての判断
［２−１］訂正の内容
　特許権者が求めている訂正の内容は、以下のとおりである。
（ａ）特許請求の範囲を以下のとおりに訂正する。
　「【請求項１】記録媒体に記録された複数画面の画像情報の再生を行い、該画像情報を書く画面毎に処理する外部装置に送る再生装置であって、前記画像情報の再生を行う再生手段と、前記外部装置における異常を検出する検出手段と、各種表示を行う表示手段と、前記検出手段の検出出力に応じて所定の動作制御を行う制御手段とを備え、前期制御手段は、前記再生手段及び表示手段に対して、該画像情報を各画面毎に処理する外部装置に送る動作の開始前に異常が検出された場合と、各画像情報を各画面毎に処理する外部装置に送り処理させている途中に異常が検出された場合とで異なる動作を行わせるように制御することを特徴とする再生装置。」
（ｂ）発明の詳細な説明の項の、〈発明が解決しようとする問題点〉、〈問題を解決するための手段〉、〈作用〉及び〈効果〉の記載を訂正明細書のとおりに訂正する。
［２−２］訂正の目的の適否、新規事項の有無及び拡張・変更の存否
　訂正事項（ａ）は、特許明細書の第１６−２図及びその説明部分および特許明細書１８１頁１７行〜１８２頁３行（特許公報３１頁６１欄２０行〜２５行）の記載に基いて、特許明細書の特許請求の範囲の、「記録媒体に格納された複数画面の画像情報」を「記録媒体に記録された複数画面の画像情報」とし、「前記制御手段は、前記再生手段及び表示手段に対して、異常が検出された際における前記外部装置の動作状態に応じて異なる動作を行なわせるように制御する」を「前期制御手段は、前記再生手段及び表示手段に対して、該画像情報を各画面毎に処理する外部装置に送る動作の開始前に異常が検出された場合と、各画像情報を各画面毎に処理する外部装置に送り処理させている途中に異常が検出された場合とで異なる動作を行わせるように制御する」と限定をしたものであるので、特許請求の範囲の減縮を行うものである。
　訂正事項（ｂ）は、特許請求の範囲の訂正にともない、対応する箇所を訂正するものであり、明りょうでない記載の釈明に該当する。
　よって、上記訂正は、特許明細書の記載に基づいて、特許請求の範囲を更に限定し、特許請求の範囲の減縮または明りょうでない記載の釈明に該当するものであって、新規事項の追加に該当せず、実質的に特許請求の範囲を拡張又は変更するものではない。
［２−３］
　以上のとおりであるから、上記訂正は、特許法第１２０条の４第２項及び第３項で準用する特許法第１２６条第２項ないし第４項、及び特許法等の一部を改正する法律（平成６年法律第１１６号）附則第６条第１項の規定に適合するので、当該訂正を認める。
　
［３］特許異議の申立についての判断
［３−１］申立の理由の概要
　申立人戸叶孝一は、証拠として甲第１号証（特開昭５９−１８９７６９号公報）及び参考資料を提出し、特許請求の範囲の請求項１に係る発明についての特許は、特許法第２９条第２項の規定に違反してなされたものであるので、特許を取り消すべきものと主張している。
［３−２］本件発明
　上記訂正請求により訂正された訂正明細書の特許請求の範囲の請求項１に係る発明（以下「本件発明」という。）は、その請求項１に記載されたとおりのものである。
「【請求項１】上記［２−１］（ａ）のとおり。」
　なお、請求項１の記載において、「書く画面毎」は「各画面毎」の誤記であり、「前期制御手段は」は「前記制御手段」の誤記であると認められるので、以下「各画面毎」「前記制御手段」として検討する。
［３−３］刊行物記載の発明
　本件発明に対して、当審が通知した取消理由で引用した刊行物１（上記甲第１号証）は、「画像処理システム」に関するもので、
　（ａ）複数の原稿画像の読取を行い、読み取った画像情報を画像毎に処理するプリンタに送るリーダである旨（公報２頁左上欄１６〜１９行、２頁右下欄５行〜８行）、
　（ｂ）リーダは、ＣＣＤ、ＣＣＤ駆動回路等の原稿画像の読取を行う回路を備える旨（公報３頁左上欄１１〜１２行、右下欄３行〜８行）、
　（ｃ）プリンタのエラーを検出する等、リーダの全体制御を行うＣＰＵを備える旨（公報３頁左下欄８行〜１５行）、
　（ｄ）ＬＥＤ等の表示器を備える旨（公報３頁左下欄１６行〜１７行）、
　（ｅ）リーダの全体制御を行うＣＰＵを備える旨（公報３頁左下欄８行〜１５行）、
　（ｆ）リーダはプリンタから第２〜１１表に示す各ステータス信号を受けるとそれに応じた各種のエラー表示を行うとともに（公報１１頁右下欄１１行〜１９行、１９頁左上欄１１行〜右下欄１６行）、プリンタの状態に応じてプリンタストップ指示コマンドを出力する旨（公報１６頁左上欄９行〜右下欄２０行）が、記載されている。
［３−４］対比・判断
　本件発明と、刊行物１に記載された発明と対比すると、刊行物１の「リーダ」「プリンタ」「ＣＰＵ」は、それぞれ本件発明の「再生装置」「外部装置」「検出手段と制御手段」に対応している。両者は、「複数画面の画像情報を各画面毎に処理する外部装置に送る装置であって、前記外部装置における異常を検出する検出手段と、各種表示を行う表示手段と、前記検出手段の検出出力に応じて所定の動作制御を行う制御手段とを備え、前記制御手段は、表示手段に対して、該画像情報を各画面毎に処理する外部装置に送る動作の開始前に異常が検出された場合と、各画像情報を各画面毎に処理する外部装置に送り処理させている途中に異常が検出された場合とで異なる動作を行わせるように制御することを特徴とする装置。」であるという基本的な点で共通している。
　しかしながら、本件発明は、「制御手段」が、「記録媒体に記録された複数画面の画像情報の再生を行う再生手段に対して、該画像情報を各画面毎に処理する外部装置に送る動作の開始前に異常が検出された場合と、各画像情報を各画面毎に処理する外部装置に送り処理させている途中に異常が検出された場合とで異なる動作を行わせるように制御すること」（以下「構成Ａ」という）を、必須の構成要件とするのに対して、刊行物１には、上記構成Ａが記載されていないし、示唆もない
　本件発明は、制御手段が、表示手段に対して、画像情報を各画面毎に処理する外部装置に送る動作の開始前に異常が検出された場合と、各画像情報を各画面毎に処理する外部装置に送り処理させている途中に異常が検出された場合とで異なる動作を行わせるように制御すると共に、再生手段に対して、上記構成Ａを必須の構成とするものであるから、明細書記載の、「その後の復旧を行い易くする」という効果を奏し、「一旦再生が行われてから接続されたプリント装置等の外部装置の動作が異常になった場合には記録媒体に記録された情報のどこまでの処理が行なわれたかを知ることができず、その後の復旧を行う上で不都合であった」という問題点を解決するものであるので、本件発明は、刊行物１に記載された発明ではなく、またこれに基づいて当業者が容易に発明をすることができたものでもない。
　
［４］むすび
　以上のとおりであるから、特許異議申立の理由及び証拠によっては、本件発明の特許を取り消すことはできない。
　また、他に本件発明の特許を取り消すべき理由を発見しない。
　よって、結論のとおり決定する。
【異議決定日】
平成１３年２月６日（２００１．２．６）
【訂正の要旨】
訂正の要旨
▲１▼訂正事項ａ
　特許請求の範囲を以下のように補正する。
　『記録媒体に記録された複数画面の画像情報の再生を行い、該画像情報を書く画面毎に処理する外部装置に送る再生装置であって、前記画像情報の再生を行う再生手段と、前記外部装置における異常を検出する検出手段と、各種表示を行う表示手段と、前記検出手段の検出出力に応じて所定の動作制御を行う制御手段とを備え、前期制御手段は、前記再生手段及び表示手段に対して、該画像情報を各画面毎に処理する外部装置に送る動作の開始前に異常が検出された場合と、各画像情報を各画面毎に処理する外部装置に送り処理させている途中に異常が検出された場合とで異なる動作を行わせるように制御することを特徴とする再生装置。』
▲２▼訂正事項ｂ
明細書第２頁第１０行から同書第３頁第８行に記載された「〈発明が解決しようとする問題点〉………をし易くなる。」を以下のように訂正する。
『〔発明が解決しようとする課題〕
　しかしながら、かかる再生装置においては一旦再生が行われてから接続されたプリンタ装置等の外部装置が異常、例えば紙詰まりになったり、インク切れになった場合には記録媒体に記録された情報のどこまでの処理、例えばプリント動作がどこまで行われたかを知ることができず、情報を送り直すに際して極めて操作性が良くなかったという問題点があった。
　〔課題を解決するための手段〕
　本発明は上記問題点を解決するために、記録媒体に記録された複数画面の画像情報の再生を行い、該画像情報を書く画面毎に処理する外部装置に送る再生装置であって、前記画像情報の再生を行う再生手段と、前記外部装置における異常を検出する検出手段と、各種表示を行う表示手段と、前記検出手段の検出出力に応じて所定の動作制御を行う制御手段とを備え、前期制御手段は、前記再生手段及び表示手段に対して、該画像情報を各画面毎に処理する外部装置に送る動作の開始前に異常が検出された場合と、各画像情報を各画面毎に処理する外部装置に送り処理させている途中に異常が検出された場合とで異なる動作を行わせるように制御することを特徴とする再生装置、を提供するものである。
　〔作用〕
　上述の本発明によれば、外部装置における異常の発生した時点での動作状態に応じて適当な動作を行わせることができ、これによって復旧をし易くなる。』
▲３▼訂正事項ｃ
　明細書第１８２頁第４行から同頁第１０行に記載された「〈発明の効果〉………行い易くすることができる。」を以下のように訂正する。
『〈発明の効果〉
　上述の説明から明らかなように、本発明は、記録媒体に記録された複数画面の画像情報の再生を行い、該画像情報を書く画面毎に処理する外部装置に送る再生装置であって、前記画像情報の再生を行う再生手段と、前記外部装置における異常を検出する検出手段と、各種表示を行う表示手段と、前記検出手段の検出出力に応じて所定の動作制御を行う制御手段とを備え、前期制御手段は、前記再生手段及び表示手段に対して、該画像情報を各画面毎に処理する外部装置に送る動作の開始前に異常が検出された場合と、各画像情報を各画面毎に処理する外部装置に送り処理させている途中に異常が検出された場合とで異なる動作を行わせるように制御するように構成することにより、その後の復旧を行い易くすることができる。』
（５４）【発明の名称】
再生装置
（５７）【特許請求の範囲】
　（１）　記録媒体に記録された複数画面の画像情報の再生を行い、該画像情報を書く画面毎に処理する外部装置に送る再生装置であって、前記画像情報の再生を行う再生手段と、前記外部装置における異常を検出する検出手段と、各種表示を行う表示手段と、前記検出手段の検出出力に応じて所定の動作制御を行う制御手段とを備え、前期制御手段は、前記再生手段及び表示手段に対して、該画像情報を各画面毎に処理する外部装置に送る動作の開始前に異常が検出された場合と、各画像情報を各画面毎に処理する外部装置に送り処理させている途中に異常が検出された場合とで異なる動作を行わせるように制御することを特徴とする再生装置。
【発明の詳細な説明】
　〔産業上の利用分野〕
　本発明は記録媒体に記録された情報信号を再生するための再生装置に関する。
　〔従来の技術〕
　従来から記録媒体より情報を再生して外部に出力する再生装置としては、例えば該再生装置に接続されたプリンタ装置に再生された画像情報を供給する装置が知られていた。かかる装置においては例えば接続されたプリント装置が既に別のプリント動作を行っていたり、何らかの不具合によりプリント動作が不能である旨の表示は行われていた。
　〔発明が解決しようとする課題〕
　しかしながら、かかる再生装置においては一旦再生が行われてから接続されたプリンタ装置等の外部装置が異常、例えば紙詰まりになったり、インク切れになった場合には記録媒体に記録された情報のどこまでの処理、例えばプリント動作がどこまで行われたかを知ることができず、情報を送り直すに際して極めて操作性が良くなかったという問題点があった。
　〔課題を解決するための手段〕
　本発明は上記問題点を解決するために、記録媒体に記録された複数画面の画像情報の再生を行い、該画像情報を書く画面毎に処理する外部装置に送る再生装置であって、前記画像情報の再生を行う再生手段と、前記外部装置における異常を検出する検出手段と、各種表示を行う表示手段と、前記検出手段の検出出力に応じて所定の動作制御を行う制御手段とを備え、前期制御手段は、前記再生手段及び表示手段に対して、該画像情報を各画面毎に処理する外部装置に送る動作の開始前に異常が検出された場合と、各画像情報を各画面毎に処理する外部装置に送り処理させている途中に異常が検出された場合とで異なる動作を行わせるように制御することを特徴とする再生装置、を提供するものである。
　〔作用〕
　上述の本発明によれば、外部装置における異常の発生した時点での動作状態に応じて適当な動作を行わせることができ、これによって復旧をし易くなる。
　〔実施例〕
　以下図面を用いて本発明を詳述するが、以下に説明される本発明の実施例においては円盤状の記録媒体、具体的には円盤状の磁気シートに静止画映像信号を記録、あるいは記録された静止画映像信号を再生する記録再生装置が説明される。
　第１図は本発明の一実施例の構成を示すブロック図である。
　第１図において、１は予め映像信号の記録再生トラック及びトラックピッチ、トラックの位置が定められている磁気シートであって該トラックは同心円状に形成されており１つのトラックに１フィールドの映像信号が記録されフレーム映像信号の場合には隣接する２トラックに各々１フィールドの映像信号が記録されフレーム映像信号となる。尚かかる磁気シート１は不図示のジャケットに予め入れられており、該ジャケットには誤消去防止爪が設けられており、予めかかる爪を折っておくことによりオーディオカセットと同じく消去動作が禁止される。２は磁気シート１を定速回転させるためのＤＣモータ、３−１、３−２は隣接している２トラックをアクセスするインライン型ヘッドであり、３−１が外周側、３−２が内周側をアクセスする。４は磁気ヘッド３−１、３−２を磁気シートに形成されたトラックにアクセスする様に移動させる磁気ヘッド移動機構、５は磁気ヘッド移動機構４により磁気ヘッド３−１が磁気シート１上の最内周のトラックをアクセスした際にオフからオンへ状態が切り換わり、後述するマイクロコンピュータ（以下ＣＰＵと称す）４０にＬレベルの信号を出力する最内周検出スイッチ、６は磁気ヘッド３−１、３−２により検出される信号を増幅するための再生アンプ、７は再生アンプ６からの出力信号の平均値を検出するレベル検出器、８はレベル検出器７の出力が不図示の基準電圧源で設定されたしきい値より高いか否かを検出するコンパレータ、９は再生アンプ６の出力信号を復調する復調回路、１０は１／２水平走査期間（以下１／２Ｈと称す）だけ復調回路９の出力を遅延させる１／２Ｈ遅延回路、１１は復調回路９の出力から水平同期信号Ｈｓｙｎｃ、垂直同期信号Ｖｓｙｎｃ等の同期信号を分離する同期信号分離回路、１２は同期信号分離回路１１から分離される同期信号のタイミングに応じて再生アンプ６の出力から所定のデータ信号を検出して該データ信号復調するデータ復調器である。尚データ信号は該トラックに記録されている情報がどのような情報例えば、フィールド映像信号であるか、フレーム映像信号であるかを判別するための信号及び使用者により設定される年月日の信号、使用者によって自由に設定される１１ケタの数字を示す信号であってトラックの同期信号が記録されている部分と所定の関係を有する位置に映像信号より低い周波数帯域に記録されている。ここで復調回路９とデータ復調回路１２が別個に設けられているのは以下の理由に依る。即ち磁気シート１に記録されている映像信号はＦＭ変調されているが、映像信号以外のデータ信号はＦＭ変調とは異なるＤＰＳＫ変調方式（Ｄｅｆｆｅｒａｔｉａｌ　Ｐｈａｓｅ　Ｓｈｆｔ　Ｋｅｙｉｎｇ）が採られている。したがって上述の復調回路９はＦＭ復調回路でありデータ復調回路１２はＤＰＳＫ復調回路である。
　１３は映像信号を再生して観察出来る様にするモニター、１３’は映像信号をプリントするために接続されるプリンタである。尚プリンタ１３’はスタート信号入力端子の信号がＨレベルになることにより動作開始し、動作中はビジー信号出力端子をＬレベルにする。またプリンタ１３’にはプリンタにメモリ装置が設けられているか否かを示すＥ／Ｆ信号出力端子が設けられている。尚かかるＥ／Ｆ信号はプリンタの動作中はＨレベルとなるが、プリンタの動作が開始されてからエラーが生じた場合にはＬレベルとなる。１４はデータ復調器１２とは反対に後述のＣＰＵ４０から出力されるデータをＤＰＳＫ変調する変調器であって映像入力端子１８から入力する映像信号から同期信号分離回路１７により分離されるＨｓｙｎ、Ｖｓｙｎｃに応じたタイミングで変調されたデータを記録アンプ１６に出力する。
　１５は映像信号入力端子１８から入力する映像信号にＦＭ変調等の記録に必要な処理をして記録アンプ１６に出力する記録アンプである。１９は基準信号発生器であり、該基準信号発生器は磁気シート１を回転するための正確な基準パルス（６０Ｈｚ）及び消去用交播信号を発生する。
　２０は前述した磁気シート１上に設けられている磁性片であって、後述する様にかかる磁性片２０からの信号を利用して基準信号発生器１９の発生する基準信号に同期したＤＣモータ２の回転制御が行われる。２１は磁気シート１がＤＣモータ２により回転される際に磁性片２０からの信号を検出するためのＰＧコイルである。
　２２はＰＧコイル２１から出力される信号の波形整形を行う波形整形回路であり、該波形整形回路２２の出力は後述するＣＰＵ４０及びモータ制御回路２３に入力する。
　２３は前記ＤＣモータ２の回転を制御する制御回路であって、前記同期信号分離回路１７からのＶｓｙｎｃ或は前記基準信号発生器１９の出力信号と、波形整形回路２２の出力、即ち磁気シート１上に設けられている磁性片からの信号との位相関係が所定の関係、例えば常に両者の位相が７Ｈずれた状態になる様にＤＣモータ２の回転を制御する。ここで磁気ヘッド３−１、３−２により記録動作が行われる際はＳＷ１は同期信号分離回路１７側に予め切り換えられており、Ｖｓｙｎｃと、波形整形回路２２から入力する信号、即ち磁気シート１上に設けられている磁性片２０からの信号に基づいてＤＣモータ２の回転が制御され、磁気ヘッド３−１、３−２により再生動作が行われる際にはＳＷ１は基準信号発生器１９側に切り換えられており、基準信号発生器１９からの基準信号と、波形整形回路２２から入力する信号即ち、磁気シート１上に設けられている磁性片２０からの信号に基づいてＤＣモータ２の回転が制御される。
　２３’は後述するＣＰＵ４０からの信号に基づいてヘッド３−１、３−２の位置を制御するためのステップモータ２４を駆動するドライバーであり、ステップモータ２４は前記ヘッド移動機構４を介してヘッド３−１、３−２を移動させる。
　２５’はＣＰＵ４０からの信号により駆動される表示回路であり、表示素子としては後述する第３図に示す様に、ヘッド３−１、３−２のアクセスしているトラックのＮＯ、ヘッド３−１、３−２の送りスピードを表示する７セグメントの表示素子を２ケタ、再生モードである事を表示するＰＢ．ＬＥＤ、記録モードである事を表示するＲＥＣ．ＬＥＤフレームモードを表示するＦＲＡＭＥ．ＬＥＤフィールドモードを表示するＦＩＥＬＤ．ＬＥＤ、インターバル再生状態は点灯し、外部装置としてプリンタが接続された際にプリント動作実行中には点滅を行うＩＮＴ．ＬＥＤから構成されている。
　２６はＣＰＵ４０のプログラムが格納されるＲＯＭ、２７はＣＰＵ４０のデータが一時的に格納されるＲＡＭである。２８はＣＰＵ４０によって駆動されるタイマー、２９はＣＰＵ４０の基準クロックを発生する水晶発振器である。尚、８０は磁気シート１が挿入されているか否かを検出するための検出スイッチを構成するフォトカプラ８１、８２に接続されている検出回路。
　８３、８４及びＳＷ６は、年、月、日等の信号、使用者によって自由に設定される信号等のデータ信号（以下ＩＤと呼ぶ）をモニタ１３及びプリンタ１３’に表示するための回路で８３は、発生されるデータ文字のタイミングを調整するためのＳＷ５を介して入力する映像信号のＶｓｙｎｃ及びＨｓｙｎｃを分離する、同期分離回路であり、１７として示した同期分離回路と同様の構成である。８４は同期分離回路８３により分離されたＶｓｙｎｃ、Ｈｓｙｎｃに同期してデータ信号に対応する文字を発生させるための文字発生器である。モニター１３及びプリンタ１３’にＩＤ信号を映像信号と重畳させて表示させる場合は、ＣＰＵ４０より制御信号が与えられＳＷ６がＯＮ状態となり同期信号とデータ信号が第１図に＋として示した加算器で加えられ、モニタ１３あるいはプリンタ１３’の特定の位置に表示される。詳しくは後述する。
　８５は磁気シート１の任意のトラック上の信号を消去する為の消去信号発生器である。なお消去用の交流信号は、基準信号発生器１９より与えられる。
　ここで、消去信号発生器８５は、たとえば第２９図に示すような一定振幅の期間Ｔ１と、それに続く減衰期間Ｔ２より形成される減衰信号を発生し、記録アンプ１６に接続される。
　ＳＷ１はＣＰＵ４０からの信号に基づいて駆動される制御回路３０からの信号により状態が切り換わるスイッチであり、映像信号入力端子１８から映像信号が入力されており、同期信号分離回路１７からＨｓｙｎｃが出力されている場合であって、かつＣＰＵから記録モードであることを示す信号が入力する際に、同期信号分離回路１７とモータ制御回路２３とを接続し、同期信号分離回路１７からＨｓｙｎｃが出力されない、あるいはＣＰＵ４０から再生モードであることを示す信号が入力されるか、あるいは消去モードの際に基準信号発生器１９とモータ制御回路２３とを接続する。
　ＳＷ２はＣＰＵ４０からの信号に基づいて状態が切り換わるスイッチであり、ヘッド３−１を記録アンプ１６に接続する状態と、再生アンプ６に接続する状態と、記録アンプ１６、再生アンプ６のいずれにも接続しない中間状態とを切り換える。
　ＳＷ３はＳＷ２と同様にＣＰＵ４０からの信号に基づいて状態が切り換わるスイッチであり、ヘッド３−２を記録アンプ１６に接続する状態と、再生アンプ６に接続する状態と、記録アンプ１６、再生アンプ６のいずれにも接続しない中間状態とを切り換える。
　ＳＷ４は磁気シート１から映像信号を再生する場合において、ヘッド３−１、３−２をともに用いてフレーム映像信号を再生する場合には第１図において上側に切り換えられる状態、すなわち復調回路９に接続される状態となり、ヘッド３−１のみを用いてフィールド映像信号を再生する場合には第１図において上側に切り換えられる状態と、下側に切り換えられる状態、即ち、復調回路９に接続される状態と、１／２Ｈ遅延回路に接続される状態とがフィールド毎に交互に切り換えられる様にＣＰＵ４０により駆動されるスイッチである。
　ＳＷ５は記録時にはモニタ１３を映像信号入力端子１８に接続し、再生時にはモニタ１３をＳＷ４に接続する様にＣＰＵ４０に駆動されるスイッチである。
　ところで磁気シート１に記録あるいは該シート１から再生される映像信号は前述のように１フィールドのみのフィールド映像信号の場合と、２フィールドで対となって構成されるフレーム映像信号の場合とがあるが、かかる場合におけるＳＷ２、ＳＷ３、ＳＷ４、ＳＷ５の状態の切り換えについて第２図を用いて説明する。
　第２図はＳＷ２、ＳＷ３、ＳＷ４、ＳＷ５の切り換え状態の組み合わせを示す図である。
　フィールド再生においてはＳＷ２はヘッド３−１を再生アンプ６に接続し、ＳＷ３を中間状態、即ち、ヘッド３−２を再生アンプ６にも記録アンプ１６にも接続しない状態とし、ＳＷ４は奇数フィールドでは復調回路９から直接モニタ１３へ信号を出力し、偶数フィールドでは１／２Ｈ遅延回路１０を介してモニタ１３へ信号を出力する様にフィールド毎に交互に切り換わり、スキュー歪の発生を防止する。
　次にフレーム再生においてはＳＷ２は奇数フィールドではヘッド３−１を再生アンプ６に接続し、偶数フィールドでは中間状態となり、ＳＷ３は奇数フィールドでは中間状態となり、偶数フィールドではヘッド３−２を再生アンプ６に接続する。したがってフレーム再生時にはヘッド３−１、３−２のいずれかの信号がフィールド毎に交互に再生アンプ６に出力される。
　この場合ＳＷ４は第１図の上側に切り換わっており、復調回路９からの信号が直接モニタ１３に出力される。
　尚上述のフィールド再生フレーム再生いずれの状態においてもモニタ１３はＳＷ４に接続される様にＳＷ５は駆動される。
　次にフィールド記録においてはＳＷ２はヘッド３−１を記録アンプ１６に接続し、ＳＷ３は中間状態となる。
　したがってフィールド記録時にはヘッド３−１により記録が行われる。
　またフレーム記録においてはＳＷ２は奇数フィールドではヘッド３−１を記録アンプ１６に接続し、偶数フィールドでは中間状態となり、ＳＷ３は奇数フィールドでは中間状態となり、偶数フィールドではヘッド３−２を記録アンプ１６に接続する。尚フレーム記録においてはヘッド３−１、３−２の組み合わせを逆にすることも出来る。
　またフィールド記録、フレーム記録の場合、いずれにおいても記録時にはＳＷ５はモニタ１３を映像信号入力端子１８に接続して記録されるべき映像信号をモニタ１３にて観察出来る様に切り換わる。またかかる場合にはＳＷ４はどのような状態であってもよい。
　次に消去モード時について説明する。後述する消去スタンバイ状態においてはＳＷ１は基準信号発生器側、ＳＷ５は第１図において上側に接続されており、すなわち再生モードと全く同じ状態となっている。この時、フィールド消去、たとえば磁気ヘッド３−１が発生しているトラックのみを消去する場合について述べる。この場合消去開始と同時にＳＷ２は記録アンプ側、ＳＷ３は中間状態になるようＣＰＵ４０より制御信号が送られ、さらに消去信号発生器８５に、ＣＰＵ４０より消去信号トリガーパルスが送られ、ヘッド３−１にのみ消去信号を流すようにする。
　次にヘッド３−１、３−２がアクセスしているトラックを同時に消去するフレーム消去時について述べる。フレーム消去時は、ヘッド３−１及び３−２に同時に消去信号を流すため、ＳＷ２及びＳＷ３は共に記録アンプ側になるようにＣＰＵ４０より制御信号を送る。そしてＣＰＵ４０からのトリガーパルスにより、消去信号が発生され、記録アンプを介して両方のヘッドに消去信号が流れる。
　また本実施例ではフィールド消去を行う場合にはヘッド３−１による消去を行う様にしたが、ヘッド３−２を用いてフィールド消去する場合にはＳＷ２が中間状態、ＳＷ３が記録アンプ側になる様に制御すればよい。
　次に第１図に示したスイッチ５１〜７８について説明する。
　かかる説明を行うに際して第３図乃至第４図に示す本実施例の装置外観もともに説明する。
　第３図は本実施例の装置の正面図、第４図は本実施例の装置に用いられるリモートコントロール装置の正面図である。
　第１図に示したスイッチ５１〜７９及び７２は第３図に示した装置に設けられているスイッチ群、第４図に示したリモートコントロール装置に設けられているスイッチ群、第３図に示した装置、及び第４図に示したリモートコントロール装置のいずれかにも設けられているスイッチ群に分けられるが、同じ機能を有するスイッチについては第１図乃至第４図において同じ符号を付す。尚、第３図に示した装置に設けられているスイッチであって第１図においては第４図に示したリモートコントロール装置にのみ設けられているスイッチはラインを介してＣＰＵ４０に接続されている様に便宜上示しているが、このような第４図に示したリモートコントロール装置のみ設けられているスイッチを操作することにより発生する信号は、該リモートコントロール装置にて赤外光に変換され、第３図の装置に設けられたリモコン受光部４５を介してかかる装置のＣＵＰ４０に入力する。
　尚スイッチ５１〜７９の配置方法については本実施例の他の種々の変形例が考えられ、本実施例に限定されるものではない。
　第１図乃至第４図において、４１は電源スイッチ、４２は磁気シート１を挿入するためのスロットで該スロット４２に磁気シート１が挿入されている際にインジェクトボタン４３がオンされると自動的に開いて磁気シート１はインジェクトされる。４３は前記インジェクトボタン、４４Ａ、４４Ｂは各々前述のＰＢ．ＬＥＤ、ＲＥＣ．ＬＥＤ、４５は第４図に示したリモートコントロール装置からの信号を受けるリモコン受光部、４６はインターバル再生が実行される際に点灯するインターバルモード表示ＬＥＤ、４８はフィールド再生もしくは記録、フレーム再生もしくは記録かのいずれが設定されているかを表示する表示ＬＥＤ、２５は前述の２桁の７セグメントＬＥＤ、５０Ａ、５０Ｂ、５０Ｃは各々後述のプログラム再生設定スイッチ５８、インターバル時間設定スイッチ５７、プログラムトラック設定スイッチ６２の操作状態を表示するＬＥＤである。
　５１は記録モードを設定し、かつ記録モードにおいてヘッドがアクセスしているトラックが記録済か未記録であるかを確認するためのＲＥＣモードスイッチであり、該スイッチがオンされた際にヘッドがアクセスしているトラックが記録済の場合、（フィールド記録時にはヘッド３−１がアクセスしているトラックが記録済の場合、フレーム記録時にはヘッド３−１、３−２のアクセスしているトラックのどちらかが記録済の場合）にはＲＥＣ．ＬＥＤが点滅表示し、ヘッドのアクセスしているトラックが記録不可能である事を示し、記録済でない場合、また制御回路３０により映像信号が入力されないことが判別された場合にはＲＥＣ．ＬＥＤが点灯し、記録可能であることを示す。
　５２は記録動作を行わせるタイミングを決定するＲＥＣスイッチでありＲＥＣモード設定スイッチ５１により記録モードが設定されている場合であって、該スイッチ５１がオンした際には磁気シート１に記録が行われる。更に後述するトラック送りスピード設定スイッチ５６により予め連続記録が設定されている場合には該スイッチ５１がオンしている期間は自動的にヘッド３−１、３−２がシフトしながら連続記録が行われる。
　５３は再生モードを設定するためのＰＢモード設定スイッチであり、該スイッチ５３がオンされた際には再生モードである事を示すＰＢ．ＬＥＤが点灯する。
　５４はトラックＵＰスイッチであり、該スイッチ５４を操作することによりドライバー２３’を制御しステツプモータ２４を回転させ、ヘッド移動機構４によってヘッド３−１、３−２を移動させる事によりヘッド３−１、３−２をシフトし、該ヘッドがアクセスしているトラックをより内周方向に変える。また後述するフィールド／フレーム設定スイッチ５９によりフレームで記録した場合には２トラックずつ進む。再生が設定されている際にはトラックＵＰスイッチ５４がオンされるとヘッド３−１、３−２が２トラックづつシフトされて、７セグメントＬＥＤ２５にも１トラックづつシフトされたトラックナンバーではなく２トラツグづつシフトされた１トラックナンバーが表示され、フィールド記録もしくは再生が設定されている際にはトラックＵＰスイッチ５４がオンされるとヘッド３−１、３−２が１トラックづつ内周方向へシフトされて、７セグメントＬＥＤ２５にも１トラックづつシフトされたシフトナンバーが表示される。
　また記録モードが設定されている場合であって、トラックＵＰスイッチ５４の操作によりヘッド３−１、３−２がシフトされた際に、該ヘッド３−１、３−２のアクセスしたトラックが記録済の場合にはＲＥＣ．ＲＥＤ４４Ｂが点減表示を行う。５５はトラックＵＰスイッチ５４とは反対にヘッド３−１、３−２のアクセスしているのをより外周方向に変えるためのトラックＤＯＷＮスイッチである。
　該スイッチ５５もトラックＵＰスイッチ５４と同様にフレーム再生が設定されている場合に、該スイッチ５５を操作した際であって１トラック外周のトラック及び２トラック外周のトラックがフレーム記録されていた場合には７セングメントＬＥＤ２５に１トラックづつシフトされたトラックナンバーではなく２トラックづつシフトされたトラックナンバーが表示され、フィールド記録もしくは再生が設定されている場合に該スイッチ５５を操作した際には１トラックづつシフトされたトラックナンバーが表示される。
　また前述したトラックＵＰスイッチ５４において説明したのと同様に予め記録モードが設定されている場合であって、トラックＤＯＷＮスイッチ５５の操作によりヘッド３−１、３−２がシフトされた際にアクセスしたトラックが記録済の場合にはＲＥＣ．ＬＥＤ４４Ｂが点滅表示を行う。
　５６は記録、再生を行うに際してかかる動作をヘッドシフトしながら自動的連続的に行うか、単発的に行うかを切り換え、更に連続的に行う場合には１秒間に何回かかる動作を行うかを示すトラック送りスピードを設定するためのトラック送りスピード設定スイッチである。
　該スイッチ５６を一度押し込みオンすると、７セングメントＬＥＤ２５にはトラックナンバーの代わりにトラック送りスピードが表示され、かかる状態において第１図に示したタイマ２８による所定時間時計以内に再びトラック送りスピード設定スイッチ５６がオンされると、該スイッチ５６がオンされる毎に７セングメントＬＥＤ２５は例えば１秒間に２画面の連続記録もしくは再生を行うことを示す
１秒間に５画面の連続記録もしくは再生を行うことを示す
１秒間に１０画面の連続記録もしくは再生を行うことを示す
単発的に記録もしくは再生を行うことを示す
をサイクリックに表示する。また該スイッチ５６をオンしてからオフすることによって７セングメントＬＥＤ２５にトラックナンバーの代わりにトラック送りスピードが表示されてからスイッチ５６が再びオンされずにタイマー２８による所定時間の時計が完了した際には該ＬＥＤ２５はトラック送りスピードを表示している状態から通常のトラックナンバーの表示をしている状態に復帰する。
　またかかるスイッチ５６によりトラック送りスピードが変更されるに際して、予めフィールド／フレーム設定スイッチ５９及びＲＥＣモード設定スイッチ５１によりフレーム映像記録が設定されている際には１秒間に１０画面の連続記録は設定されない。
　５７はインターバル時間設定スイッチである。即ち連続再生ではあるが再生インターバル時間が比較的長いインターバル再生を行う場合もしくは後述するプログラムトラック設定スイッチ５８によりプログラム再生が設定されている場合におけるトラック送りのインターバル時間を設定する為のインターバル時間設定スイッチであり、該スイッチがオンされてから１０秒以内に６３〜７２に示す１０キースイッチによってインターバル時間を設定する。
　尚、該インターバル時間設定スイッチ５７がオンとなってから１０キースイッチ６２〜７２以外のスイッチがオンされた際にはインターバル時間設定は自動的に解除される。５８は再生トラックの順序を予めプログラム設定し、インターバル時間設定スイッチ５７によって設定されたインターバル時間間隔で連続的に再生動作を行うプログラム再生モードを設定する為のプログラム再生設定スイッチである。
　再生トラックの順序指定はまず該スイッチ５８をオンすることによってプログラム再生モードを設定し、次いでトラックＵＰスイッチ５４、トラックＤＯＷＮスイッチ５５の操作によってヘッド３−１、３−２のアクセスしているトラックを変化させ所望のトラックの映像を再生してモニタ１３により確認しながら後述するプログラムトラック設定スイッチ６２をオンすることによってモニタ１３で確認しているトラックのナンハーを記憶させることによって行う。５９は前述のフィールド／フレーム設定スイッチであり、該スイッチをオンする毎にフィールド記録もしくは再生モードが、フレーム記録もしくは再生モードが交互に切り換わる。
　尚ＲＥＣモード設定スイッチ５１及びトラック送りスピード設定スイッチ５６により予め１秒間に１０画面の連続記録モードが設定されている場合に、フィールド／フレーム設定スイッチ５９によりフレーム記録が選択された際にはトラック送りスピードは１秒間に５画面の連続記録モードに自動的に変更される。
　即ちフィールド記録に比してフレーム記録の際には１度に２トラック分ヘッド３−１、３−２をシフトさせなければならない為１秒間に１０画面の記録の際には１秒間に２０トラックのヘッドシフトが必要となるが、即ち映像信号を記録する時間を考慮に入れると４／６０秒間に２トラック分のヘッドシフトを行わなければならないが、かかる高速のヘッドシフトは難しい為本実施例においては１秒間に１０画面分のフレーム連続記録は禁止されている。
　６０はインターバル連続再生、あるいはプログラム再生を行わせるためのスタートスイッチであり、該スタートスイッチがオンされるとインターバル再生が設定されている際には第１トラックから順次記録済トラックの再生がインターバル時間設定スイッチ５７、テンキースイッチ６３〜７２により設定されたインターバル時間に応じてインターバル再生か開始されプログラム再生が設定されている際にはプログラム再生が開始される。６１はスタートスイッチ６０により開始された再生動作を停止させるストップスイッチであり、該スイッチ６１がプログラム再生途中にオンされた際にはその時再生しているトラックを再生したままプログラムに再生を停止する。
　６２は前述のプログラムトラック設定スイッチである。
　７３は記録モード時のＩＤ設定の開始、及び再生モード時においてＩＤの内容の表示をするかしないかを切り換えるためのスイッチである。即ち記録モードにおいて該スイッチ７３をオンすることによってＩＤの設定モードとなり、再生モードにおいて該スイッチ７３をオンすることによってＩＤの内容の表示を行うかもしくは行わないかの切り換えを行わせることが出来る。７４、７５、７６は夫々スイッチ７３によってＩＤの設定モードとなった際においてＩＤとして年を設定する場合にオンするスイッチ、月を設定する場合にオンするスイッチ、日を設定する場合にオンするスイッチである。尚第１図においては便宜上スイッチ７４、７５、７６及び前述のスイッチ５７、５８、６２は夫々独立したスイッチとして示したが本実施例においては第４図のリモートコントロール装置に示す様にスイッチ７４、７５、７６は夫々スイッチ５８、５７、６２に兼用されている。即ちスイッチ５７によるインターバル時間設定スイッチ５８によるプログラム設定、スイッチ６２によるプログラムトラック設定の動作をＩＤの年、月、日の設定とは独立に行われるものであるため本実施例においてはスイッチを兼用することによってスイッチ部材数を減らし操作性、信頼性を向上させている。
　尚スイッチの兼用に際しては他の組み合わせも種々考えられる。
　７７は磁気シート１に記録されている情報を消去させるに際して一旦、装置を消去スタンバイ状態とするための消去スタンバイスイッチ、７８は消去スタンバイスイッチ７７により設定された消去スタンバイ状態において消去動作を実行させるための消去スイッチである。７９は全トラックを消去するモードを設定する全トラック消去スタンバイスイッチである。
　シート１上に記録されている情報を消去させるに際しては初めにスイッチ７７をオンすることによって消去スタンバイ状態を設定する。かかる状態では自動的に再生モードとなっているため、消去スタンバイ状態即ち消去を実行する前に消去しようとするトラックに記録されている映像をモニタ１３があるいはプリンタ１３’で確認することが出来る。またスタンバイ状態で１０キースイッチ６３〜７２を操作することにより連続的に消去するべきトラック数が指定出来る。次いで消去スイッチ７８をオンすることによってヘッド３−１、３−２の少なくとも一方が記録アンプ１６に接続されるとともに消去信号発生器８５から発生した第３２図消去信号によりトラックに記録されている情報が消去される。また全トラック消去スタンバイスイッチ７９をオンしてから消去スイッチ７８をオンすれば全トラックが自動的に消去される。
　次に第５図乃至第２０図、第２３図、第２５図〜第２７図のフローチャートを用いて本発明の実施例の動作について説明する。
　まず、第３図に示す電源スイッチ４１が押し込まれると第１図に示す装置の電源がオンして、回路各部に電力が供給され動作が開始される。
　＃１：すると第５図において後述するレジスタＳが“０”にリセットされ、ＰＢモードフラグがセットされ、トラック送りスピードが毎秒２画面、インターバルタイムが３秒に初期設定される。したがって電源がオンされた際には予め連続再生モードが自動的に設定される。
　＃２：磁気シート１を有するジャケットが挿入されているか否かを検出する。ジャケットが挿入されている際にはフローは＃３へ分岐し、挿入されない際には＃３を飛び越して＃４へ分岐する。
　＃３：＃２において磁気シート１を有するジャケットが挿入されている際にはＤＣモータ３を駆動する。
　＃４：第１図に示したスイッチ５がオンされているか否かを検出することによってヘッド３−１が第５０トラックにアクセスしているか否かを検出し、第５０トラックにヘッドがアクセスしている際にはフローは＃６へ分岐し、第５０トラックにヘッド３−１がアクセスしていない際にはフローは＃５へ分岐し、第１図に示したステップモータ２４を駆動してヘッド３−１が第５０トラックをアクセスする様に＃４、＃５のループをくり返す。
　＃６：第５０トラックにヘッド３−１が、アクセスした際にはフローはこのステップに至り、このステップにおいてメモリー（ＲＡＭ２７）をアクセスするためのレジスタＮを５０にセットする。
　＃７：このステップにおいてＤＣモータ２が駆動しているか否かを検出する。前述の磁気シート１を有するジャケットが挿入されている際には＃３を実行することによりＤＣモータ２が駆動しているのでフローはこのステップ＃８へ進み、フィールドフラグをセットする。ジャケットが挿入されていない際には前述の＃３を介さずにフローが進むためＤＣモータ２が駆動していない。したがってジャケットが挿入されるか否かを検出するためフローは＃２に戻る。
　＃８：＃７においてＤＣモータ４が駆動してるい際にはフィールドフラグをセットする。したがって第３図に示したフィールドモードを示すＬＥＤ４４Ａが点灯し、フィールドであることを示す表示が行われる。即ち本実施例においては電源が投入されかつジャケットが挿入されるとフィールドモードが自動的に設定される。
　＃９：第１図に示したレベル検出回路７の出力を検出して、ヘッド３−１がアクセスしているトラックが記録済トラックか否かを判別する。ここで、ヘッド３−１がアクセスしているトラックが記録済であるためレベル検出回路７の出力がＨレベルとなる際にはフローは＃１０へ進み、レベル検出回路７の出力がＬレベルとなる際にはフローは＃１６へ進む。
　ここではまず＃１６について説明する。
　＃１６：メモリーのＮ番地に“００００”をセットする。ここで“００００”は該メモリーの番地に対応するトラックが未記録であることを示す。
　次いで＃１０以下のフローについて説明する。
　＃１０：＃９においてレベル検出回路７の出力がＨレベルの際には該トラックに記録されている信号を再生し、データ復調器１２からＩＤ信号を取り込む。
　＃１１：該ＩＤ信号の内容を検出して該トラックに記録されている映像信号がフィールド映像信号かフレーム映像信号かを判別する。ここでフィールド映像信号である場合にはフローは＃１５へ進み、フレーム映像信号である場合にはフローは＃１２へ進む。
　＃１２：このステップではヘッド３−１がアクセスしているトラックの映像信号がフレーム映像信号の内側のトラックであるか、外側のトラックであるか判別する。内側のトラックである場合にはフローは＃１４へ進み、外側のトラックである場合にはフローは＃１３へ進む。
　＃１３：ヘッド３−１がアクセスしているトラックの映像信号がフレーム映像信号の外側のトラックの場合にはメモリーのＮ番地を“００１１”にセットする。尚＃１からこのステップに初めて進んだ場合には＃６においてＮは５０にセットされている。
　＃１４：フレーム映像信号の内側トラックの場合にはメモリーのＮ番地を“００１０”にセットする。
　＃１７：ここでヘッド３−１が第１トラックまでシフトされＮ＝１であることが検出された際にはフローは＃２０へ進み、Ｎ＝１でない場合にはフローは＃１８へ進む。
　＃１８：＃１７においてＮ＝１でないことが検出された際には１トラック分ヘッド３−１を外周側ヘシフトさせる。
　＃１９：＃１８においてヘッド３−１を外周側ヘシフトされた際にはＮから減算してＮとする。
　＃２０：＃１７においてＮ＝１が検出された場合即ち、ヘッド３−１が最外周に設けられている第１トラックをアクセスして記録の有無がメモリーにセットされた際にはここでメモリーのＮ番地、即ちメモリーの第１番地のデータを読み“００１１”であった場合、具体的には第１トラックがフレーム映像信号を構成する２トラックの外側のトラックであった場合には＃２１へフローは進み、そうでない場合にはフローは＃２３へ進む。
　＃２１：＃２０において第１トラックがフレーム映像信号を構成するトラックの外側のトラックであったことが検出された場合には、このステップにフローが進む。このステップにおいてはメモリーのＮ＋１番地、即ちメモリーの第２番地のデータを読み“００１０”であった場合、具体的には第２トラックがフレーム映像信号を構成する２トラックの内側トラックであった場合には＃２２へ進む。
　＃２２：第１トラック、第２トラックの２トラックでフレーム映像信号が記録されている際にフローはこのステップに移る。したがって＃８でセットされたフィールドフラグをクリアして、フィールドモードがフレームモードに変化させる。したがって第３図に示したフィールドフレーム表示ＬＥＤ４８はフレームモードであることを示すＬＥＤが点灯する。
　＃２３、＃２４：前述のメモリーの番地を示すレジスタＮを第１図、第３図に示す２ケタの７セグメントＬＥＤ２５に表示させる。
　この表示によりヘッド３−１のアクセスしているトラックのナンバーが使用者が認識することが出来る。
　このフローが終了した際に次にＡに示すフローにジャンプする。以下第６図に示したフローチャートについて説明する。
　＃Ａ−１：ＲＥＣモード設定スイッチ５１がオンされているかを検出し、該スイッチ５１がオンされている際にはフローはサブルーチン▲Ｂ▼を呼び出し記録モードを設定し、オンされていない際には＃Ａ−２に進む。
　＃Ａ−２：ＲＥＣスイッチ５７がオンされてるかを検出し該スイッチ５２がオンされている際にはサブルーチン▲Ｎ▼を呼び出し、オンされていない際には＃Ａ−３に進む。
　＃Ａ−３：ＰＢモード設定スイッチ５３がオンされているかを検出し、該スイッチ５３がオンされている際にはサブルーチン▲Ｃ▼を呼び出し、オンされていない際には＃Ａ−４に進む。
　＃Ａ−４：トラックＵＰスイッチ５４がオンされた際にはフローはサブルーチン▲Ｄ▼を呼び出し、オンされていない際には＃Ａ−５へ進む。
　＃Ａ−５：トラックＤＯＷＮスイッチ５５がオンされた際にはフローはサブルーチン▲Ｅ▼を呼び出しオンされていない際には＃Ａ−６へ進む。
　＃Ａ−６：トラック送りスピード設定スイッチ５６がオンされた際にはフローはサブルーチン▲Ｆ▼を呼び出しオンされていない際には＃Ａ−７へ進む。
　＃Ａ−７：インターバル時間設定スイッチ５７がオンされている際にはサブルーチン▲Ｇ▼を呼び出しオンされていない際には＃Ａ−８へ進む。
　＃Ａ−８：プログラム設定スイッチ５８がオンされている際にはサブルーチン▲Ｈ▼を呼び出しオンされていない際には＃Ａ−９へ進む。
　＃Ａ−９：プログラムトラック設定スイッチ６２がオンされている際にはサブルーチン▲Ｉ▼を呼び出しオンされていない際には＃Ａ−１０へ進む。
　＃Ａ−１０：フィールドフレーム設定スイッチ５９がオンされている際にはサブルーチン▲Ｊ▼を呼び出しオンされていない際には＃Ａ−１１へ進む。
　＃Ａ−１１：スタートスイッチ６０がオンされている際にはサブルーチン▲Ｋ▼を呼び出しオンされていない際には＃Ａ−１２へ進む。
　＃Ａ−１２：ストップスイッチ６１がオンされていない際にはサブルーチン▲Ｍ▼を呼び出しオンされていない際には＃Ａ−１３へ進む。
　＃Ａ−１３：ジャケット検出スイッチ（第１図の検出回路８０に相当する）によりジャケットがないことが検出された際には＃２へジャンプし、あることが検出された際には＃Ａ−１４へ進む。
　＃Ａ−１４：プログラム再生モードフラグ及びプログラム再生実行中フラグをクリアする。
　＃Ａ−１５：１０キースイッチ６３〜７２のいずれかがオンされている際にはサブルーチン▲Ｒ▼を呼び出し、オンされている際には＃Ａ−１６へ進む。
　＃Ａ−１６：ＩＤスイッチ７３がオンされている際にはサブルーチン▲Ｑ▼を呼び出し、オンされている際には＃Ａ−１７へ進む。
　＃Ａ−１７：年設定スイッチ７４がオンされている際にはサブルーチン▲Ｓ▼を呼び出し、オンされている際には＃Ａ−１８へ進む。
　＃Ａ−１８：月設定スイッチ７５がオンされている際にはサブルーチン▲Ｔ▼を呼び出し、オンされている際には＃Ａ−１９へ進む。
　＃Ａ−１９：日設定スイッチ７６がオンされている際にはサブルーチン▲Ｕ▼を呼び出し、オンされている際には＃Ａ−２０へ進む。
　＃Ａ−２０：消去スタンバイスイッチ７７がオンされている際にはサブルーチン▲Ｖ▼を呼び出し、オンされている際には＃Ａ−２１へ進む。
　＃Ａ−２１：全トラック消去スタンバイスイッチ７９がオンされている際にはサブルーチン▲Ｗ▼を呼び出し、オンされている際には＃Ａ−１３へ進む。
　以上説明した様に第５図に示すフローを実行してヘッド３−１を磁気シートの第１トラックにアクセスさせた後には第６図に示すＡに示すフローにジャンプし、第１図、第３図、第４図に示した各スイッチの状態を検出しながら各スイッチの状態が切り換わるまで▲Ａ▼に示すフローをくり返し実行し、操作されたスイッチに応じたサブルーチンを呼び出すことになる。
　ここでトラック設定送りスピードスイッチ５６がオンされた場合に呼び出されるサブルーチン▲Ｆ▼について第７図を用いて説明する。
　第７図はトラック設定送りスピードを変更させるスイッチ５６がオンされた際に実行されるサブルーチンを示すフローチャートである。
　＃Ｆ−１、＃Ｆ−２：メモリーよりトラック送りスピードの設定値を読み出し、該設定値が不図示のトラックナンバー表示用バッファにセットされる。
　したがって第３図に示した２ケタの７セングメントＬＥＤ２５にトラック送りスピードが表示される。初めてこのステップにフローが来た場合には＃１において毎秒２画面のトラック送りスピードが設定されているので
が表示される。
　＃Ｆ−３：トラック送りスピード設定スイッチ５６がオンである際にはフローは＃Ｆ−３をくり返し、該スイッチ５６がオフされた際にはフローは＃Ｆ−４へ移る。
　前述した様にトラック送りスピード設定スイッチ５６が一度オンすることにより第３図に示した２ケタの７セグメントＬＥＤ２５においてはトラックナンバーの表示からトラック送りスピードの表示への切換えが行われ、次いで、再び該スイッチ５６をオンすることによってトラック送りスピードが切り換わる様に構成されている。＃Ｆ−３は上述の様にスイッチ５６が一度オンされ一旦オフとなってから再びオンされる際に初めてトラック送りスピードが切り換わる様に設けられている。
　＃Ｆ−４、＃Ｆ−５、＃Ｆ−６、＃Ｆ−７：これらのステップはトラック送りスピード設定スイッチ５６がオンされ、第３図に示した２ケタの７セグメントＬＥＤ２５の表示がトラックナンバーの表示からトラック送りスピードの表示へ切り換わってから所定時間（２秒間）の間に該スイッチ５６あるいは他のスイッチがオンされなかった際にはトラック送りスピードの設定を中止するために設けられているステップである。
　タイマー１の時計が開始されてから所定時間（２秒間）の間にトラック送りスピード設定スイッチ５６がオンされた際には＃Ｆ−７から＃Ｆ−１０へフローが進みタイマー１の計時が完了した際あるいは他のスイッチがオンされた際には＃Ｆ−６から＃Ｆ−８へフローが進む。
　＃Ｆ−８：タイマー１の計数値をクリアする。
　＃Ｆ−９：＃Ｆ−１とは逆に第３図に示した２ケタの７セグメントＬＥＤ２５の表示を再びトラックナンバーの表示に復帰させる。
　＃Ｆ−１０：タイマー１の計数値をクリアする。
　＃Ｆ−１１：トラック送りスピードの設定値がシングル（一度記録あるいは再生されたらフィールドモードでは１トラック分ヘッドシフトさせ、フレームモードでは２トラック分ヘッドシフトさせて停止する）であるか否かを検出し、シングルの場合には＃Ｆ−１２へ、シングルでない場合には＃Ｆ−１３へフローは進む。
　尚、前述した様に電源スイッチ４１がオンとなってからフローがこのステップに到る場合には＃１において予めトラック送りスピードとして毎秒２画面が設定されている。
　＃Ｆ−１２：トラック送りスピード設定値がシングルの場合には設定値を毎秒２画面に変更して＃Ｆ−１に戻り、変更されたトラック送りスピードを表示して前述の＃Ｆ−３〜＃Ｆ−７を実行する。
　＃Ｆ−１３：トラック送りスピード設定値が毎秒２画面であるかを検出し、毎秒２画面の場合には＃Ｆ−１４へ、毎秒２画面でない場合には＃Ｆ−１５へフローは進む。
　＃Ｆ−１４：トラック送りスピード設定値を毎秒５画面に変更して＃Ｆ−１に戻り、変更されたトラック送りスピードを表示して前述の＃Ｆ−３〜＃Ｆ−７を実行する。
　＃Ｆ−１５：トラック送りスピード設定値が毎秒５画面であるかを検出し、毎秒５画面の場合には＃Ｆ−１６へ、毎秒５画面でない場合、即ち毎秒１０画面が設定されている場合には＃Ｆ−１７へフローは進む。
　＃Ｆ−１６：ＰＢモードフラグがセットされているか否かを判別する。ＰＢモードフラグがセットされている場合、即ち再生モードが設定されている場合には＃Ｆ−１８へＰＢモードフラグがリセットされている場合、即ち記録モードが設定されている場合には＃Ｆ−１９へフローは進む。
　＃Ｆ−１７：トラック送りスピード設定値をシングルに変更して＃Ｆ−１に戻り、変更されたトラック送りスピードを表示して前述の＃Ｆ−３〜＃Ｆ−７を実行する。
　＃Ｆ−１８：再生モードにおいては磁気シート１のトラックに記録されている映像信号がフィールド映像信号であってもフレーム映像信号であっても、連続トラック送り時はフィールド再生を行う。したがって、かかる場合にはトラック送りスピード設定値を毎秒１０画面に変更して、フローは＃Ｆ−１に戻る。
　＃Ｆ−１９：フィールドフラグがセットされているか否かを検出し、フィールドフラグがセットされている場合、即ち記録モードで毎秒５画面のトラック送りが設定され、かつフィールドモードの場合には＃Ｆ−１８へフローは分岐する。
　またフィールドフラグがセットされていない場合、即ち記録モードで毎秒５画面のトラック送りスピード設定値が設定され、かつフレームモードの場合には＃Ｆ−１７へフローは進み、トラック送りスピード設定値をシングルに変更する。
　したがって上述したサブルーチンＦにおいては、トラック送りスピード設定スイッチ５６がオンされた際には第３図に示した２ケタの７セグメントＬＥＤ２５にトラック送りスピードの表示がなされ、所定時間（２秒間）内に該スイッチ５６を再びオンさせることによってトラック送りスピードが変更される。
　また、かかる変更範囲はフレーム記録モードの際にはシングル、毎秒２画面、毎秒５画面の３通りでありフレーム記録モード以外の際はシングル、毎秒２画面、毎秒５画面、毎秒１０画面の４通りとなっている。
　かかる変更範囲は第１図に示したヘッド３−１、３−２の移動機構等のトラックシフト能力に関係するものであって、トラックシフト能力に応じて予め適切な範囲に設定されるものである。
　次に第８図を用いて第６図に示したサブルーチンＡを実行中に、トラックＵＰスイッチ５４、トラックＤＯＷＮスイッチ５５がオンされた際に呼び出されるサブルーチンＤ、Ｅについて説明する。まずトラックＵＰスイッチ５４がオンされた際に呼び出されるフローについて説明する。
　＃Ｄ−１：フローがこのステップに到った際に、ヘッド３−１がアクセスしているトラックが最内周トラックがあるか否かをレジスタＮが５０であるか否かを検出することによって判別する。
　その結果、Ｎが５０でない場合には＃Ｄ−２へ、Ｎが５０である場合には後述する＃Ｄ−３４ヘフローは進む。
　＃Ｄ−２：ＰＢモードフラグがセットされているか否かを判別する。ＰＢモードフラグがセットされている際、即ち再生モードの際には＃Ｄ−８へＰＢモードフラグがセットされていない際即ち記録モードの際には＃Ｄ−３へフローは進む。
　＃Ｄ−３：メモリのＮ＋１番地が“００００”即ち第Ｎ＋１トラックが未記録であるか否かを検出し、未記録の場合には＃Ｄ−４へ記録済の場合には＃Ｄ−７へフローは分岐する。
　＃Ｄ−４：第Ｎ＋１トラックが未記録であったことが＃Ｄ−３で判別された場合にはこのステップでフィールドフラグがセットされているか否かを判別してセットされている際には＃Ｄ−６へ、セットされていなければ＃Ｄ−５へフローは進む。
　＃Ｄ−５：＃Ｄ−４においてフィールドフラグがセットされておらず、フレームモードであったことが判別された際にはこのステップに到る。このステップにおいてはメモリーの第Ｎ＋２番目の内容が“００００”であるか否かを検出し、“００００”であった際即ち、第Ｎ＋２トラックが未記録であった場合には＃Ｄ−６へ、“００００”でなかった際、即ち第Ｎ＋２トラックが記録済であった場合には＃Ｄ−７へフローは進む。
　＃Ｄ−３〜＃Ｄ−５のステップを実行することによりフレームモードの際には連続した２トラックが両方とも未記録であった場合に＃Ｄ−６へ、連続した２トラックのうち少なくとも一方が記録済であった場合には＃Ｄ−７へフローは進む。
　＃Ｄ−６：フィールドモードの際にはヘッド３−１のアクセスしているトラック、フレームモードの際にはヘッド３−１のアクセスしているトラック及び、該トラックよりも１トラック内周側のヘッド３−２のアクセスしているトラックが未記録の場合、即ち可能な場合にはフローはこのステップに到り、第３図に示したＲＥＣ　ＬＥＤ４４Ｂが点灯する。
　＃Ｄ−７：＃Ｄ−６とは反対にヘッド３−１、３−２がアクセスして記録しようとするトラックが既に記録済であった際には第３図に示したＲＥＣ　ＬＥＤ４４Ｂをブリンク（点滅）させることによって、記録不能であることを使用者に認識させる様に警告表示を行う。
　＃Ｄ−８：＃Ｄ−２においてＰＢモードフラグがセットされている場合にはフローはこのステップに到り、フィールドフラグをセットする。
　このステップの意味については＃Ｄ−９、＃Ｄ−１０、＃Ｄ−１３において説明する。
　＃Ｄ−９：メモリーＮ番地が“００１１”即ち＃１３で説明した様にヘッド３−１がアクセスしているトラックがフレーム映像信号を構成する２トラックのうち外周側のトラックであるか否かを検出し、該２トラックの外周側のトラックである場合には＃Ｄ−１０へ、外周側のトラックでなければ＃Ｄ−１３へフローは進む。
　＃Ｄ−１０：メモリーのＮ＋１番地が“００１０”即ち、ヘッド３−２がアクセスしているトラックがフレーム映像信号を構成する２トラックのうち内周側のトラックであるか否かを検出し、該２トラックの内周側のトラックである場合には＃Ｄ−１１へ、外周側のトラックでなければ＃Ｄ−１３へフローは進む。
　即ちフレーム映像信号を構成する２トラックのうち内周側のトラックが消去、または消去後に新たな映像信号が記録された場合にはヘッド３−１がアクセスしているトラックがフレーム映像信号を構成する２トラックのうち外周側のトラックであってもヘッド３−２がアクセスしているトラックが該２トラックのうち内周側のトラックでないことが起こる。したがって、この場合にヘッド３−１、３−２を内周側にシフトさせるに際しては１トラックのみシフトさせて、消去もしくは消去後に新たに映像信号が記録されたトラックを再生する必要がある。
　ところがかかる場合においてヘッド３−１、３−２を１トラックのみ内周側にシフトされた状態では該ヘッド３−１、３−２がアクセスしているトラックにフレーム映像信号が記録されているとは限らず、夫々全く別のフィールド映像信号が記録されている場合もある。この場合フィールドフラグがリセットされていると２つの別個のフィールド映像信号がフレーム映像信号として再生されてしまうという問題点が生じる。したがって前述の＃Ｄ−８のステップを設けることによって本実施例では、ヘッドを内周側にシフトさせるに際しては該ステップにおいて予めフィールドフラグをセットすることによってフィールドモードを設定して上述の場合においても全く別のフィールド映像信号がフレーム映像信号として再生させるという問題点を解消することが出来る。
　＃Ｄ−１１：このステップにおいてはレジスタＮが４９であるか否かを検出してＮが４９である場合には＃Ｄ−１３へ、Ｎが４９てない場合には＃Ｄ−１２へフローが分岐する。
　＃Ｄ−１２：ヘッド３−１、３−２がアクセスしている２つのトラックにフレーム映像信号が記録されている際に、このステップにフローが至る。かかる記録がされている場合トラックＵＰスイッチがオンされた際にはこのステップで１トラック分だけヘッド３−１、３−２をシフトさせる様にドライバー２３を駆動させ、次いで＃Ｄ−１３において更に１トラックヘッド３−１、３−２をシフトさせる。また前述している通りヘッド３−１、３−２をシフトさせる毎にＮは１づつ更新される。
　＃Ｄ−１３：＃Ｄ−１２と同様にヘッド３−１、３−２を１トラック分シフトさせる。
　＃Ｄ−１４：＃２３と同様にＮを第３図に示す２ケタの７セグメントＬＥＤ２５に表示させる。本実施例ではかかるステップを＃Ｄ−１２、＃Ｄ−１３よりも後のフローに設けているのでヘッド３−１、３−２のアクセスしているトラックにフレーム映像信号が記録されている際にはＬＥＤ２５に表示されるトラックナンバーは２づつ更新し、フィールド映像信号が記録されている際にはＬＥＤ２５に表示されているトラックナンバーは１づつ更新することになり、磁気シート１上にフィールド映像信号、フレーム映像信号のどちらが記録されているかを表示することが出来る。
　また＃Ｄ−１２と＃Ｄ−１３との間にもこのステップを設けた場合にはヘッド３−１、３−２のアクセスしている２つのトラックにフレーム映像信号が記録されている場合であってもトラックＵＰスイッチ５４をオンするとＬＥＤ２５に表示されるトラックナンバーが１づつ更新することになる。
　＃Ｄ−１５：ＰＢモードフラグがセットされているか否か判定する。セットされている場合には＃Ｄ−１６へ、セットされていない場合には＃Ｄ−１９へフローは分岐する。セットされている場合は＃Ｄ−１５−１に分岐する。
　＃Ｄ−１５−１：ここでＣＰＵ４０は、第１図中のデータ復調器１２から出力される再生ＩＤ信号をＲＡＭ２７に取り込む。フローは＃Ｄ−１５−２に進む。
　＃Ｄ−１５−２：ここで、ＩＤが映像信号に重畳されてモニターされているモードであるか否かを判別する。かかるモードの詳細については第２０図を用いて説明する。このモードである場合には、＃Ｄ−１５−３に進み、そうでない場合は＃Ｄ−１５−４に進む。
　＃Ｄ−１５−３：このステップにフローが至る場合はＩＤを映像信号に重畳してモニターするモードであるのでＣＰＵはＲＡＭ２７より再生ＩＤ信号を読み出し、文字発生器４０を制御することにより文字パターンを発生させ、モニター上で再生映像信号に重畳する。フローは＃Ｄ−１５−４に進む。つまり、この時点はモニター上には現在アクセスしているトラックに記録されていたＩＤ　ＤＡＴＡ信号がモニター上に表示されることになる。
　＃Ｄ−１５−４：自動トラック送りフラグがセットされていない場合には＃Ｄ−２０へ、されている際には＃Ｄ−１６にフローは分岐する。
　＃Ｄ−１６：メモリーのＮ番地が“００１１”ヘッド３−１がアクセスしているトラックがフレーム映像信号が記録されているトラックのうち外周側ヘトラックであるか否かを判定する。ここでＮとは前述において繰り返す様にヘッド３−１、３−２を既に移動した後にヘッド３−１がアクセスしてるいトラックのナンバーに対応している。ここでメモリーのＮ番地に内容が“００１１”である場合にはフローは＃Ｄ−１７へ“００１１”でない場合には＃Ｄ−１９へフローは分岐する。
　＃Ｄ−１７：メモリーのＮ＋１番地の内容が“００１０”、即ちヘッド３−１のアクセスしているトラックがフレーム映像信号の記録されている２つのトラックの内側トラックであるかを判定する。
　ここでメモリーのＮ＋１番地が“００１０”である場合にはフローは＃Ｄ−１８へ、“００１０”でない場合には＃Ｄ−１９へ分岐する。
　＃Ｄ−１８：＃Ｄ−１６、＃Ｄ−１７を介してこのステップにフローが至る場合にはヘッド３−１、３−２が移動した後にアクセスしている２つのトラックにフレーム映像信号が記録されているので＃Ｄ−８においてセットされたフィールドフラグをクリアして、フレーム再生モードとする。尚、自動トラック送りフラグがセットされている場合に限ってこのステップは実行される（自動トラック送りフラグがセットされていない場合には＃Ｄ−１５−４から＃Ｄ−２０へフローは分岐するため＃Ｄ−８においてフィールドフラグがセットされたままとなるのでフィールド再生が行われる。）。
　＃Ｄ−１９：このステップにおいては自動トラック送りフラグがセットされているか否かを判定し、セットされている際には＃Ｄ−２０に、セットされている際にはこのサブルーチンから戻る（ＲＴＳ）。
　自動トラック送りフラグは後述するサブルーチン▲Ｋ▼でセットされているフラグであり、自動的にトラックを送りながら再生をくり返すプログラムを実行している途中にサブルーチン▲Ｄ▼または後述するＥを呼び出す際に該ルーチン▲Ｄ▼、▲Ｅ▼から抜け出すために設けられている。
　＃Ｄ−２０：メモリーからトラック送りスピード設定値を取り込む。
　＃Ｄ−２１：トラックの送りスピード設定値がシングルであるか否かを判定し、シングルの場合には＃Ｄ−３４に、シングルでない場合には＃Ｄ−２２にフローは分岐する。
　＃Ｄ−２２：トラックの送りスピード設定値が毎秒２画面であるか否かを判定し、毎秒２画面の場合には＃Ｄ−２３に、毎秒２画面でない場合には＃Ｄ−２４にフローは分岐する。
　＃Ｄ−２３：ＣＰＵ４０内にあるＷＡＩＴ　ＴＩＭＥＲレジスタを２８に設定する。
　＃Ｄ−２４：トラック送りスピード設定値が毎秒５画面であるか否かを判定し、毎秒５画面の場合には＃Ｄ−２５へ、毎秒５画面でない場合には＃Ｄ−２６へフローは分岐する。
　＃Ｄ−２５：ＷＡＩＴ　ＴＩＭＥＲレジスタを１０に設定する。
　＃Ｄ−２６：トラック送りスピード設定値として毎秒１０画面が設定されている場合にはこのステップにフローが至り、ＷＡＩＴ　ＴＩＭＥＲレジスタを４に設定する。
　尚、＃Ｄ−２３、＃Ｄ−２５、＃Ｄ−２６にて設定されるＷＡＩＴ　ＴＩＭＥＲレジスタはトラック送りスピードを制御するために用いられており後述する＃Ｄ−３１、＃Ｄ−３２においてＤＣモータ２により磁気シート１が回転する毎に減算される。
　＃Ｄ−２７：ＲＥＣ実行フラグがセットされているか否かを判定しセットされている際には＃Ｄ−２８に、セットされていない際には＃Ｄ−３１にフローは分岐する。ここでＲＥＣ実行フラグはサブルーチン▲Ｎ▼においてセットされるフラグであり、自動的にトラックを送りながら記録をくり返すプログラムを実行している途中にサブルーチン▲Ｄ▼が呼び出された際に設定されるＷＡＩＴ　ＴＩＭＥＲレジスタから＃Ｄ−２９、＃Ｄ−３０において２あるいは５を減算する事によって記録に必要な時間に相当する時間をかせぐ為に設けられている。即ち記録モードにおいては磁気シート１の回転状態をＰＧコイル２１から検出して記録すべき信号を磁気シート上の所定の位置から記録する為のタイミングを決定する為、及び磁気シート１に信号を記録するために設けられている。
　＃Ｄ−２８
　＃Ｄ−２９
　＃Ｄ−３０：この３つのステップによりフィールドフラグがセットされているか否かを判別し、セットされている際にはＷＡＩＴ　ＴＩＭＥＲレジスタから２を減算し、セットされていない際にはＷＡＩＴ　ＴＩＭＥＲレジスタから５を減算する。ここでトラック送りスピードとして毎秒１０画面が設定されている場合にはＷＡＩＴ　ＴＩＭＥＲレジスタは４に設定されるが、かかる設定はフィールドモードの場合のみに可能であるため、この場合にＷＡＩＴ　ＴＩＭＥＲレジスタから５が減算されることはない。
　＃Ｄ−３１：第１図に示した基準信号発生器１９からのパルスがあるか否かを検出し、パルスがある場合には＃Ｄ−３２へ、分岐しない場合には＃Ｄ−３１のフローをくり返す。
　＃Ｄ−３２：ＷＡＩＴ　ＴＩＭＥＲレジスタの内容から１を減算する。
　＃Ｄ−３３：ＷＡＩＴ　ＴＩＭＥＲレジスタの内容が０になったか否かを判定し、０の場合には＃Ｄ−３４に、０でない場合には＃Ｄ−３１に分岐する。
　＃Ｄ−３２〜＃Ｄ−３３のステップにおいてはトラック送りスピードを制御するためのタイマーをＷＡＩＴ　ＴＩＭＥＲレジスタと基準信号発生器１９とした。したがってＷＡＩＴ　ＴＩＭＥＲレジスタの内容をＰＧコイル２１の出力を波形整形する波形整形回路２２の出口に応じて減算してタイマーを構成する方法に比して、安定したより正確な時計動作を行うことが出来る。即ちＰＧコイル２１の出力は磁気シート１の回転ムラ等の原因により誤差を含む可能性があるが基準信号発生器１９の出力にはかかる誤差は実質的にない。また、インターバル記録を行う場合には電力消費節減のためインターバル時間中はＤＣモータ２の回転を止めることが望ましい。かかる動作を行う場合波形形成回路２２の出力に応じてＷＡＩＴ　ＴＩＭＥＲレジスタを減算する方法では、インターバル時間を経時することが出来ないが、本実施例の方法に依ればかかる動作を行う場合であっても安定した計時動作を行うことが出来る。
　＃Ｄ−３４：ＲＥＣ実行中フラグがセットされているか否かを判定し、セットされている際には該サブルーチン▲Ｄ▼を呼んだもとのプログラムの戻り（ＲＴＳ）セットされていない際には＃Ｄ−３５へ分岐する。
　＃Ｄ−３５：トラックＵＰスイッチ５４がオンとなっているか否かを判定してオンになっている際には更にヘッド３−１、３−２がアクセスしているトラックを内周側へシフトするために＃Ｄ−１に、オフとなっている際には＃Ｄ−３６にフローは分岐する。
　＃Ｄ−３６：トラックＤＯＷＮスイッチ５５がオンとなっているか否かを判定してオンとなっている際にはヘッド３−１、３−２がアクセスしているトラックを外周側にシフトするためにサブルーチン▲Ｅ▼の＃Ｅ−１に、オフとなっている際には＃Ｄ−３７に分岐する。
　＃Ｄ−３７：ＰＢモードフラグがＳＥＴされている場合＃Ｄ−３８へ、そうでない場合、該サブルーチン▲Ｄ▼を呼んだプログラムへ戻る。
　＃Ｄ−３８
　＃Ｄ−３９
　＃Ｄ−４０：Ｄ−６、１７、１８と同様にしてフレーム記録された映像信号の場合にはフレーム再生とするためにフィールドフラグをクリアする。その後該サブルーチン▲Ｄ▼を呼んだポログラムへ戻る。
　上述した例においては、ＰＢモード時＃Ｄ−１２を通過する場合とそうでない場合いずれであっても＃Ｄ−２３、２５、２６においてＷＡＩＴ　ＴＩＭＥＲに設定する数値を変化させていないために１トラック送りを実行する時間分だけ＃Ｄ−１２を通過してきた場合には、トラック送りのスピードが遅れてしまうことになるが、これを合わせるためには、＃Ｄ−２７において、＃Ｄ−１２を通過した場合には１トラック分のヘッド送りに要する時間をＷＡＩＴ　ＴＩＭＥＲから引いてやれば全く問題なくトラック送りスピードを合わせることができる。
　次にトラックＤＯＷＮスイッチ５５がオンされた際に実行されるサブルーチン▲Ｅ▼について説明する。
　サブルーチン▲Ｅ▼の各ステップ＃Ｅ−１〜＃Ｅ−１３は夫々サブルーチン▲Ｄ▼の各ステップ＃Ｄ−１〜＃Ｄ−１３と同様のステップであるので詳細な説明を省略する。
　但し、サブルーチン▲Ｅ▼はトラックＤＯＷＮスイッチ５５がオンされた際にヘッド３−１、３−２がアクセスしているトラックを外周側にシフトさせるため例えば＃Ｅ−１においてはＮ＝１であるかを検出し、＃Ｅ−９においてはメモリー（Ｎ−１）電池が“００１０”即ち第（Ｎ−１）トラックがフレーム映像信号を構成する２トラックの内側のトラックであるか否かを検出し、＃Ｅ−１０においてはメモリー（Ｎ−２）番地が“００１１”即ち第（Ｎ−２）トラックがフレーム映像信号を構成する２トラックの外側のトラックであるか否かを検出し、また、＃Ｅ−１１ではＮ＝２であるか否かを検出し、＃Ｅ−１２、＃Ｅ−１３では１トラック分ヘッド３−１、３−２を外周側にシフトさせる。
　次に第９図を用いてフィールド／フレーム切換スイッチ５９、ＲＥＣモード設定スイッチ５１がオンされた際に呼び出されるサブルーチン▲Ｊ▼、▲Ｂ▼について説明する。
　＃Ｊ−１：第６図に示した＃Ａ−１０においてフィールド／フレーム切換スイッチ５９がオンされたことが検出された際にこのステップにフローが進み、このステップにおいてはフィールドフラグがセットされている場合には＃Ｊ−２へ、セットされていない際には＃Ｊ−４にフローは分岐する。
　＃Ｊ−２：＃Ｊ−１においてフィールドフラグがセットされている際にはこのステップでフィールドフラグはクリアされる。
　＃Ｊ−３：ＰＢモードがセットされているか否かを判定してセットされている際には＃Ｊ−８へ、セットされていない際には＃Ｊ−５へフローは分岐する。
　＃Ｊ−４：＃Ｊ−１でフィールドフラグがセットされていないことが検出された際にはこのステップにおいてフィールドフラグがセットされる。
　ＰＢモードがセットされていない状態即ち記録モードである場合であって＃Ｊ−２においてフィールドフラグがクリアされた場合にはフレーム記録モードとなり、サブルーチン▲Ｄ▼、▲Ｅ▼、▲Ｆ▼において説明した様に毎秒１０画面の連続記録は出来ない。したがってサブルーチン▲Ｊ▼においてフィールドモードからフレームモードに切り換えるに際してはトラック送りスピードとして毎秒１０画面のトラック送りスピードが設定されている場合には、かかる切り換えを禁止する必要がある。
　したがって本実施例に依れば次に説明する＃Ｊ−６、＃Ｊ−７により毎秒１０画面のトラック送りスピードが設定されている際にはかかるトラック送りスピード設定値を自動的に毎秒５画面のトラック送りに変更する。
　＃Ｊ−５：トラック送りスピード設定値をＣＰＵ４０に取り込む。
　＃Ｊ−６：＃Ｊ−５において取り込まれたトラック送りスピード設定値が毎秒１０画面である場合には＃Ｊ−７へ、毎秒１０画面でない場合には＃Ｊ−８にフローは分岐する。
　＃Ｊ−７：トラック送りスピード設定値を毎秒５画面に変更する。
　＃Ｊ−８：フィールド／フレーム設定スイッチ５１がオンされつづけると、このステップをくり返し、オンからオフになった際にはじめて第６図の＃Ａ−１に示すステップに戻る。
　次にＲＥＣモード設定スイッチ５１がオンされた際に呼び出されるサブルーチン▲Ｂ▼について説明する。
　＃Ｂ−１：第６図に示した＃Ａ−１においてＲＥＣモード設定スイッチ５１がオンされたことが検出されるとこのステップにフローが分岐し、第３図に示したＰＢ、ＬＥＤ４４Ａが消灯し、ＰＢモードフラグはクリアされる。
　＃Ｂ−２
　＃Ｂ−３
　＃Ｂ−４
　＃Ｂ−５
　＃Ｂ−６：この５つのステップは、第８図に示した夫々＃Ｄ−３〜＃Ｄ−７と同様であるため説明を省略する。
　＃Ｂ−５−１：このステップはＣＰＵ４０は文字発生器８４の文字発生を一旦停止させる様に制御する。
　＃Ｂ−５−２：ＩＤの設定モードであるか否かを判別し、設定モードである場合には＃Ｂ−５−３へ進み、そうでない場合には＃Ｂ−６’に進む。
　＃Ｂ−５−３：ＣＰＵ４０はＲＡＭ２７より設定されたＩＤを読み出し、文字発生器８４を制御して文字パターンを発生させる。したがってモニタ１３には映像信号入力端子１８から入力する映像信号に重畳してＩＤが表示される事になる。次でフローは＃Ｂ−６’に進む。
　＃Ｂ−６’：ＲＥＣモード設定スイッチ５１がオンされつづけている間はこのステップをくり返し、該スイッチがオフされた際には＃Ｂ−７にフローは分岐する。
　＃Ｂ−７：ＲＥＣモード設定スイッチ５１がオフされた際にはこのステップにおいてフィールドフラグがセットされているかを判別し、フィールドフラグがセットされている際には第６図の＃Ａ−１に示すステップにフローは戻り、フィールドフラグがセットされていない際にはサブルーチン▲Ｊ▼の＃Ｊ−５にジャンプし、＃Ｊ−６〜＃Ｊ−８を実行することによりトラック送りスピード設定値が毎秒１０画面の際には毎秒５画面に自動的に補正される。したがって、ＲＥＣモード設定スイッチ５１によってＲＥＣモードが設定されかつフレームモードである場合にはトラック送りスピード設定値が最高毎秒５画面に制限される。
　次に第１０図を用いてＰＢモード設定スイッチ５３がオンされた際に呼び出されるサブルーチン▲Ｃ▼について説明する。
　＃Ｃ−１：第６図に示した＃Ａ−３においてＰＢモード設定スイッチ５３がオンされたことが検出されると、このステップにフローが分岐しＲＥＣ　ＬＥＤがＯＦＦされ一旦フィールドフラグがセットされる。即ち３−１、３−２のアクセスしている２つのトラックに別々のフィールド映像信号が記録されており、ＰＢモードフラグがクリアされフィールドフラグがリセットされているフレーム記録モードが設定されている場合に、ＰＢモード設定スイッチ５３がオンしたことを検出してヘッド３−１、３−２がアクセスしているトラックを直ちに再生すると別個のフィールド映像信号がインターレースして再生されてしまうことを防止するために、このステップでは一旦フィールドフラグがセットされる。
　＃Ｃ−２：メモリーの番地が“００１１”即ちヘッド３−１のアクセスしているトラックがフレーム映像信号が記録されている２つのトラックのうち外周側であるかを検出し、“００１１”である際には＃Ｃ−３へ“００１１”である際には＃Ｃ−３へ“００１１”でない際には＃Ｃ−５へフローは分岐する。
　＃Ｃ−３：メモリＮ＋１番地が“００１０”即ちヘッド３−２のアクセスしているトラックがフレーム映像信号が記録されている２つのトラックのうち内周側であるかを検出し、“００１０”である際には＃Ｃ−４へ“００１０”でない際には＃Ｃ−５へフローは分岐する。
　＃Ｃ−４：＃Ｃ−２、＃Ｃ−３においてヘッド３−１、３−２がアクセスしている２つのトラックにフレーム映像信号が記録されていることが検出された際にはフローはこのステップに至り、フィールドフラグがクリアされてフレームモードが設定される。
　＃Ｃ−５：第３図に示したＰＢ、ＬＥＤ４４Ａが点灯し、ＰＢモードフラグがセットされ再生動作が開始される。
　＃Ｃ−５−１：このステップではＣＰＵ４０は文字発生器８４の文字発生を一旦停止させる様に制御する。またＣＰＵ４０はデータ復調器１２により復調されたＩＤ　ＤＡＴＡをＲＡＭ２７に格納する。
　＃Ｂ−５−２：ＩＤの表示モードであるか否かを判別し、表示モードである場合には＃Ｃ−５−３へ進み、そうでない場合には＃Ｃ−６’に進む。
　＃Ｃ−５−３：ＣＰＵ４０はＲＡＭ２７よりデータ復調器１２により復調されたＩＤを読み出し、文字発生器８４を制御して文字パターンを発生させる。したがってモニタ１３には磁気シートから再生された映像信号に重畳してＩＤが表示されることになる。次いでフローは＃Ｃ−６に進む。
　＃Ｃ−６：ＰＢモード設定スイッチ５３がオンされつづけている場合にはこのステップをくり返し、オフされた際には第６図に示した＃Ａ−１４を介して＃Ａ−１に戻る。
　次に第１１図を用いてインターバル時間設定スイッチ５７がオンされた際に呼び出されるサブルーチン▲Ｇ▼について説明する。まずかかるサブルーチン▲Ｇ▼の＃Ｇ−０においてはタイマーＴ’が０に初期化されるとともに７セグメントＬＥＤ２５にインターバル時間Ｔｉが表示される。
　＃Ｇ−１：第６図＃Ａ−７においてインターバル時間設定スイッチ５７がオンになったことが検出された際にはタイマーＴ’が０に初期化されて次いでこのステップにフローは到り、更に１０キースイッチ６３〜７２がオンされた際には＃Ｇ−２へ、１０キースイッチ６３〜７２がオンされない際には＃Ｇ−３へフローは分岐する。
　＃Ｇ−２：インターバル時間Ｔｉを１０キースイッチ６３〜７２により設定されたインターバル時間Ｔｉに変更する。
　＃Ｇ−３：１０キースイッチ６３〜７２以外のスイッチがオンされているか否かを判定し、オンされている際には＃Ｇ−４へオンされていない際には＃Ｇ−５へ分岐する。
　＃Ｇ−４：インターバル時間設定スイッチ５７がオンされているか否かを検出し、オンされている際には＃Ｇ−１にオンされていない際には第６図に示した＃Ａ−１にフローは分岐する。
　＃Ｇ−５：前述のＴ’を１だけ増加させる。１秒毎に＃Ｇ−６へフローは移る。ただしＴ’は１秒毎に１だけ増加させられるタイマであり、１秒たっていない場合加算は行われないものである。
　＃Ｇ−６：Ｔ’が１０であるか否かを判定し、Ｔ’が１０の場合には第６図に示した＃Ａ−１に、Ｔ’が１０でない場合には＃Ｇ−１へ分岐して、前述の＃Ｇ−１、＃Ｇ−３、＃Ｇ−５及び＃Ｇ−６のループをくり返しＴ’が１０となった際に＃Ａ−１に戻る。
　したがって前述のサブルーチン▲Ｇ▼においてはインターバル時間設定スイッチ５７がオンされてから１０秒以内に他のスイッチがオンされない際には第６図に示した＃Ａ−１に戻りインターバル時間設定は解除される。サブルーチン▲Ｇ▼を実行している間勿論インターバル時間Ｔｉが２ケタの７セグメントＬＥＤ２５に表示されているが＃Ｇ−６において＃Ａ−１に戻る際にかかるインターバル時間Ｔｉの表示は停止する。
　またかかるサブルーチン▲Ｇ▼においてインターバル時間Ｔｉが“０”に設定されると再生動作としてサブルーチンＫにおいて説明する様な例えばプリンタに接続する際に動作を行わせる外部トリガモードが設定される。
　次に第１２図を用いてＲＥＣスイッチがオンした際に呼び出されるサブルーチン▲Ｎ▼について説明する。
　＃Ｎ−１：第６図＃Ａ−２においてＲＥＣスイッチ５２がオンされたことが検出された際にはこのステップにフローが到り、ＰＢモードフラグがクリアされているか否かを検出し、クリアされていない際には再生モードであるため第６図に示す＃Ａ−１４へフローは戻り（ＲＴＳ）クリアされている際には＃Ｎ−２にフローは分岐される。したがってＲＥＣモードが設定されていなければＲＥＣスイッチ５２をオンしても記録は行われない。
　＃Ｎ−２：メモリーのＮ番地が“００００”であるか即ちヘッド３−１のアクセスしているトラックが未記録であるか否かを判別して未記録でない場合には第６図に示す＃Ａ−１４へフローは戻り、未記録であった場合には＃Ｎ−３にフローは分岐する。
　＃Ｎ−３：フィールドフラグがセットされるかを判別してセットされている際には＃Ｎ−５、セットされていない際には＃Ｎ−４にフローは分岐する。
　＃Ｎ−４：このステップにはフレーム記録モードが設定されている際に移ることになるがメモリーのＮ＋１番地が“００００”であるか、即ちヘッド３−２のアクセスしてるいトラックが未記録であるか否かを判別して未記録でない場合には第６図に示す＃Ａ−１４へフローは戻る。またかかる場合には予めＲＥＣ、ＬＥＤ４４Ｂは点滅している。
　またかかるトラックが未記録であった場合には＃Ｎ−６にフローは分岐する。
　＃Ｎ−５：磁気シート１上の１つのトラックに１フィールド分の映像信号がヘッド３−１によって記録がされる。この時第１図に示したＳＷ６がオフされ文字発生器８４の出力がモニタに出力されなくなる。またメモリーＮ番地に０００１が設定される。
　＃Ｎ−６：このステップにフローが到る場合にはフレーム記録モードが設定されているので磁気シート１上の２つのトラックに夫々１フィールド分の映像信号がヘッド３−１、３−２によって記録される。メモリーＮ番地に００１１、Ｎ＋１番地に００１０が設定され＃Ｎ−５と同様にＳＷ６がオフされる。次いでステップモータ２４を駆動してヘッド３−１、３−２を１トラック分内周側にシフトさせる。
　尚＃Ｎ−５、＃Ｎ−６を実行する場合ＳＷ２〜ＳＷ５は第２図において説明した様に駆動される。また＃Ｎ−６において記録が実行される際にはＣＰＵ４０によりＲＡＭ２７から設定されているＩＤが読み出され、これをデータ変調器１４に出力することによりデータ変調器１４からＤＰＳＫ信号に変調されたＩＤが記録アンプ１６に入力され、ここで映像信号に重畳されてＩＤ記録が行われる。ただしＩＤの表示モードが後述する第２０図（ｃ）の場合にはデータが設定されいてたとしてもＩＤの記録は行われない。ただし、フレームの内側トラックか、外側トラックかフィールド記録かを示すＤＡＴＡは単に映像信号と共に記録されるものである。また第２０図（ａ）、（ｂ）の表示モードであっても＃Ｎ−５、＃Ｎ−６を実行することによって記録実行中はＳＷ６がオフされているためにモニタ上にＩＤ　ＤＡＴＡ信号の表示は現れなくなる。
　＃Ｎ−７：ＲＥＣ実行中フラグをセットするとともに第１図ＳＷ６がオンされる。
　＃Ｎ−１〜＃Ｎ−７を実行することによって、設定されたＩＤが文字発生器８４より発生させられて映像信号に重畳されて、モニターに出力されている時には、ＲＥＣ実行中に限り発生させられている文字信号が第１図ＳＷ６によりオフされることになり、文字が消えることになる。＃Ｎ−７において再びＳＷ６がオンされるために再びＩＤ　ＤＡＴＡの表示が行われる。
　＃Ｎ−８：サブルーチン▲Ｄ▼を呼び出し、ヘッド３−１が第５０トラック以外をアクセスしている場合には＃Ｄ−１、＃Ｄ−２から＃Ｄ−３にフローは移る。次いで＃Ｄ−３から＃Ｄ−１４を実行して１トラック分内周側にヘッド３−１、３−２を移動させる。フレーム記録モードであれば＃Ｎ−６にて予め１トラック分内周側にヘッド３−１、３−２が移動されているので、フレーム記録モードであってもヘッド３−１は＃Ｄ−１４において記録したトラックの隣りのトラックをアクセスする。又ヘッド３−１、３−２によって記録されるトラックが記録済の場合には第３図に示したＲＥＣ、ＬＥＤ４４Ｂは点滅表示して使用者に警告表示を行う。次いでフローは＃Ｄ−１５から＃Ｄ−１９へ分岐し、＃Ｄ−１９を介して＃Ｄ−２０〜＃Ｄ−３４に示すフローを実行する。即ちトラック送りスピードの設定値がシングルであった場合には＃Ｄ−２１から＃Ｄ−３４にフローは分岐し、予め＃Ｎ−７においてセットされているＲＥＣ実行フラグにしたがって＃Ｎ−９に戻る。
　毎秒２画面、５画面が設定されている場合には＃Ｄ−２８にて記録を行うのに必要な時間だけＷＡＩＴ　ＴＩＭＥＲレジスタを減算し、ＷＡＩＴ　ＴＩＭＥＲレジスタをダウンカウントしてＷＡＩＴ　ＴＩＭＥＲレジスタが０になった際にフローは＃Ｄ−３３から＃Ｄ−３４を介して前述と同様に＃Ｎ−７においてセットされているＲＥＣ実行フラグにしたがって＃Ｎ−９に戻る。
　＃Ｎ−９：ＲＥＣ実行中フラグをクリアする。
　＃Ｎ−１０：かかるステップは＃Ｄ−２０と同様のステップでありメモリーよりトラック送りスピードの設定値を取り込む。
　＃Ｎ−１１：トラック送りスピードの設定値がシングルである場合には＃Ｎ−１２へシングルでない場合には第６図に示す＃Ａ−１４に戻る。
　＃Ｎ−１２：トラック送りスピードがシングルで設定されている際にはＲＥＣスイッチ５２がオンされている限りこのステップをくり返して再びサブルーチン▲Ｎ▼が実行されて記録が行われない様に制御する。
　トラック送りスピードがシングル以外に設定されており更にＲＥＣスイッチ５２がオンされている際には＃Ｎ−１１から＃Ａ−１４を介して＃Ａ−１、＃Ａ−２からサブルーチン▲Ｎ▼を呼び出し前述のフローが実行されＲＥＣスイッチ５２がオンしている限り設定されたトラック送りスピードで記録が連続して行われる。ＲＥＣスイッチ５２がオフされればフローは＃Ａ−１４、＃Ａ−１、＃Ａ−２に進むが＃Ａ−２にてサブルーチン▲Ｎ▼を呼び出すことはなく連続記録は終了する。
　次に第１３図を用いてプログラム設定スイッチ５８がオンされた際に呼び出されるサブルーチン▲Ｈ▼について説明する。
　＃Ｈ−１：第６図＃Ａ−８においてプログラム設定スイッチ５８がオンされたことが検出された際にはこのステップに到り、ＰＢモードフラグがセットされているか否かを判別し、セットされている際には＃Ｈ−２に、セットされていない際には第６図に示す＃Ａ−１に戻る（ＲＴＳ）。このステップは記録モードにおいてはプログラム設定を禁止するため設けられている。即ち本実施例においてはプログラム設定を行うに際しては予め再生モードを選択させることによって、磁気シート１に記録された映像を例えばモニターで確認しながらプログラムの設定が行われる様に構成されている。
　またプログラム設定スイッチ５８がオンされた際に自動的にＰＢモードフラグをセットすることによってかかる再生モードへの動作を自動的に行うことが出来る。この場合サブルーチン▲Ｃ▼に示したステップと同様のステップを、すなわち＃Ｈ−１に示したステップの代わりとしてサブルーチン▲Ｃ▼を呼び出すＣＡＬＬＣを設ければよい。
　＃Ｈ−２：プログラムが格納されている第１４図に示すプログラムトラックメモリーにおいてプログラム再生実行時、次に再生するトラックナンバーが記憶されているアドレスを示すＩレジスタを０にする。
　＃Ｈ−３：プログラム再生モードであることを示すプログラム再生モードフラグをセットして＃Ａ−１に戻る。
　次にサブルーチン▲Ｈ▼によりプログラム再生モードが設定されてからプログラムトラック設定スイッチ６２がオンされた際に呼び出されるサブルーチン▲Ｉ▼について第１５図を用いて説明する。
　＃Ｉ−１：プログラム再生モードフラグがセットされているかを判定してセットされている際には＃Ｉ−２へ、セットされていない際には＃Ａ−１へフローは分岐する。したがってプログラム設定スイッチ５８によりプログラム再生モードが設定されていない際にはプログラムトラック設定スイッチ６２をオンしてもプログラム設定動作は行われない。
　＃Ｉ−２：前述のプログラムトラックメモリーのプログラムが格納されている先頭アドレスを示すレジスタＳ（＃１において電源オン時にＳ＝０としてイニシャルセットされている）の内容と同じ内容をレジスタＭに書き込む。
　＃Ｉ−３：レジスタＭに格納されたアドレスのプログラムトラックメモリーのデータを該アドレスよりも１だけ大きいアドレスに格納する。換言すればプログラムトラックメモリーに記憶されているトラックナンバーを示すデータを該データが格納されているアドレスよりも１だけ大きいアドレスに格納する。
　＃Ｉ−４：レジスタＩにレジスタＭの内容に１を加えた値を書き込む。
　＃Ｉ−５：レジスタＭの内容から１を減じる。
　＃Ｉ−６：レジスタＭの内容が０か否かを判定し、０の場合は＃Ｉ−７へ、０でない場合には＃Ｉ−３へフローは分岐する。
　＃Ｉ−３〜＃Ｉ−６のフローをくり返し、レジスタＭの内容が０になった際にはプログラムトラックメモリーの各アドレスに記憶されているデータは全て１だけ大きいアドレスに転送される。したがってかかるフローをくり返し実行して＃Ｉ−６から＃Ｉ−７にフローが分岐した際にはプログラムトラックメモリのアドレス１にはデータが格納されていない状態となる。
　＃Ｉ−７：ヘッド３−１がアクセスしているトラックのナンバーがプログラムトラックメモリーのアドレス１に格納される。したがってプログラムトラック設定スイッチ６２をオンすることによりヘッド３−１がアクセスして再生されている映像の記録されているトラックのナンバーがプログラムされることになる。
　＃Ｉ−８：レジスタＳの内容に１を加える。このステップを実行することによって常にレジスタＳには＃Ｉ−３〜＃Ｉ−６のフローを実行して移動したプログラムトラックメモリのデータが格納されている先頭アドレス（最も大きいアドレス）が格納されることになる。
　＃１−９：プログラムトラック設定スイッチ６２がオンされている場合はこのステップをくり返し、オフとなった際には＃Ａ−１に戻る。
　使用者が更にプログラム設定を続けて行う場合にはトラックＵＰスイッチ５４、あるいはトラックＤＯＷＮスイッチ５５をオンさせることによってヘッド３−１、３−２のアクセスしているトラックを変更し、所望のトラックが再生されたところで再生映像を確認しながらプログラム設定スイッチ６２をオンすることによりプログラム設定を行うことが出来る。
　尚プログラム設定スイッチ６２がオンされる毎に第１４図に示したプログラムトラックメモリーの各アドレスに格納されているデータは１づつ大きいアドレスに格納されていくことになる。またプログラム設定中はレジスタＳ、レジスタＩとも全く同じ内容となっている。
　次にプログラム設定スイッチ５８、プログラムトラック設定スイッチ６２をオンすることによって設定されるプログラムを再生するプログラム再生、及びヘッド３−１のアクセスしているトラックから順に記録済のトラックを順次設定されたインターバル時間で再生するインターバル再生を行う際に実行されるプログラムについて第１６図乃至第１８図を用いて説明する。
　まずスタートスイッチ６０をオンされた際に呼び出されるサブルーチン▲Ｋ▼について第１６図を用いて説明する。
　＃Ｋ−１：第６図＃Ａ−１１においてスタートスイッチ６０がオンされたことが検出された際にはこのステップにフローが到り、ＰＢモードフラグがセットされているか否かが検出されＰＢモードフラグがセットされていない際には＃Ａ−１に、ＰＢモードフラグがセットされている際には＃Ｋ−２にフローが分岐する。したがって本実施例では予め再生モードが設定されていない場合にはインターバル再生、プログラム再生を行うことが出来ないため記録モードの際に誤ってスタートスイッチ６０をオンしてもインターバル再生、プログラム再生が開始されてしまうことを防止することが出来る。また＃Ｋ−１の代わりにサブルーチン▲Ｃ▼に示したステップと同様のステップを設ければ予め再生モードを設定しなくてもスタートスイッチ６０をオンするだけで直ちにインターバル再生プログラム再生が開始する様に出来る。
　＃Ｋ−１’：インターバル再生中であることを示すＩＮＴ、ＬＥＤを点灯させる。
　＃Ｋ−２：プログラム再生モードフラグがセットされているか否かを判別しセットされている際には＃Ｋ−３へセットされていない際には＃Ｋ−４へフローが分岐する。ここではプログラム再生モードフラグがセットされていない、即ちインターバル再生が行われる場合のフローについて説明する。
　＃Ｋ−４：メモリーのＮ番地が“００００”、即ちヘッド３−１のアクセスしているトラックが未記録であるか否かを判別し、未記録であれば＃Ｋ−６未記録でなければ＃Ｋ−５へフローは分岐する。ここではまず、ヘッド３−１のアクセスしているトラックが未記録であるとして＃Ｋ−６以下のフローについて説明する。
　尚以下に説明する本実施例に依ればインターバル再生はヘッド３−１がアクセスしているトラックが第４９あるいは第５０トラック以外の場合には該トラックからヘッド３−１がアクセスしているトラックが第４９あるいは第５０トラックの際には第１トラックから順次記録済のトラックのみが再生されることになるが、＃Ｋ−２と＃Ｋ−４との間にヘッド３−１を第１トラックをアクセスする様にステップモータ２４を駆動するステップを挿入すれば常に第１トラックから順次記録済のトラックのみが再生される。従ってヘッド３−１が第１トラックをアクセスしておらず別のトラックをアクセスしている際に第１トラックから順次自動的にインターバル再生を行って検索を行うためには効果が際めて高い。
　＃Ｋ−６：インターバル再生中であることを示す自動トラック送りフラグをセットする。
　＃Ｋ−７：フィールドフラグがセットされているか否かを判別し、セットされている際には＃Ｋ−８へセットされている際には＃Ｋ−９へフローは分岐する。
　＃Ｋ−８：ヘッド３−１がアクセスしているトラックが最内周トラックであるか否かをＮが５０であるか否かを検出することによって判別し、５０であることが検出された際には＃Ｋ−１０へ、５０であることが検出されなかった際には＃Ｋ−１１へフローは分岐する。
　＃Ｋ−９：ヘッド３−１がアクセスしているトラックが最内周より１だけ外側のトラックであるか否かをＮが４９であるか否かを検出することによって判別し、４９が検出された際には＃Ｋ−１０へ４８であることが検出されなかった際には＃Ｋ−１１へフローは分岐する。
　＃Ｋ−１０：このステップにおいてはサブルーチン▲Ｇ▼を実行することにより設定されるインターバル時間Ｔｉが“０”であるか否かを判別する。後述する様にインターバル時間Ｔｉが“０”である場合とは外部トリガ信号に応じて予め設定されているプログラムでヘッド３−１をシフトさせるモードであってかかるモードのためにインターバル時間Ｔｉが“０”に設定されている際には＃Ｋ−２６においてＩＮＴ　ＬＥＤを消灯させ、トラックＮｏの表示を消灯し、ジャケットをイジェクトした後にフローは＃Ａ−１に、“０”に設定されていない際には＃Ｋ−１２へフローは分岐する。
　＃Ｋ−１１：サブルーチン▲Ｄ▼を呼び出し、＃Ｄ−１〜＃Ｄ−１８に示すフローが実行される。サブルーチン▲Ｋ▼においてサブルーチン▲Ｄ▼が呼び出される際にはＰＢモードフラグがセットされているのでフローは＃Ｄ−２から＃Ｄ−９に分岐し、＃Ｋ−４にてヘッド３−１がアクセスしたトラックかフレーム外周側かつこのトラックよりも１トラック内周のトラックがフレーム映像信号を記録する２トラックの内周側のトラックでありかつヘッド３−１が第４９トラックをアクセスしていないと判別された際にはヘッド３−１、３−２が＃Ｄ−１２、＃Ｄ−１３により２トラック分内周側にシフトされ判別されない際には＃Ｄ−１３により１トラック分のみヘッド３−１、３−２が内周側にシフトされる。またヘッド３−１、３−２のアクセスしているトラックにフレーム映像信号が記録されていればフィールドフラグがクリアされフローは＃Ｄ−１９から＃Ｋ−１４へ移る。
　＃Ｋ−１２：サブルーチン▲Ｅ▼を呼び出し＃Ｅ−１〜＃Ｅ−１３及び＃Ｄ−１４〜＃Ｄ−１９に示すフローが実行され、＃Ｋ−４にてヘッド３−１がアクセスしたトラックに隣する外周側のトラックと、もう１トラック分外周側のトラックの２トラックにフレーム映像信号が記録されている場合にはヘッド３−１、３−２が＃Ｅ−１２、＃Ｅ−１３により２トラック分外周側にシフトされ、それ以外の場合には＃Ｅ−１３により１トラックのみ外周側にシフトされる。
　また＃Ｋ−１１と同じく３−１、３−２のアクセスしているトラックにフレーム映像信号が記録されていればフィールドフラグはクリアされフローは、＃Ｄ−１９から＃Ｋ−１３へ移る。
　＃Ｋ−１３：ヘッド３−１がアクセスしているトラックが最外周トラックであるか否かをレジスタＮの内容が１であるか否かを検出することによって判別し、１であることが検出された際には＃Ｋ−１４へ、１であることが検出されなかった際には＃Ｋ−１２へフローは分岐する。したがって＃Ｋ−８または＃Ｋ−９において＃Ｋ−１２へフローが分岐した場合即ちヘッド３−１が第４９トラックまたは第５０トラックをアクセスしている際には＃Ｋ−１２、＃Ｋ−１３のステップをくり返すことによってヘッド３−１は第１トラックをアクセスする様に制御される。
　＃Ｋ−１４：自動トラック送りフラグをクリアする。
　以上説明した様に＃Ｋ−４〜＃Ｋ−１４のフローを実行し、＃Ｋ−４から＃Ｋ−５へフローが分岐した際にはヘッド３−１は映像信号が記録されているトラックをアクセスすることになり、映像信号が記録されていないトラックは実質上再生されずにスキップされる。
　更に＃Ｋ−４〜＃Ｋ−１４のフローを実行することにより＃Ｋ−４から＃Ｋ−５へフローが分岐した際にヘッド３−１、３−２のアクセスしている２つのトラックにフレーム映像信号が記録されている場合には＃Ｄ−１８においてフィールドフラグがクリアされているので、フレーム再生モードが自動的に設定される。またヘッド３−１、３−２のアクセスしているトラックにフィールド映像信号が記録されている際にはフィールド再生モードが自動的に設定される。したがってインターバル再生時には映像信号の記録方法に応じて最も適切な再生モードが自動的に設定される。
　＃Ｋ−５：メモリーからサブルーチン▲Ｇ▼において設定されたインターバル時間ＴｉがＣＰＵ４０のレジスタＴ’に取り込まれる。
　＃Ｋ−１５：＃Ｋ−１０と同様にインターバル時間Ｔｉが“０”であるかを検出して“０”の場合には＃Ｋ−１７へ、“０”でない場合には＃Ｋ−１６へフローは分岐する。ここでは外部トリガモードが設定されていないものとして＃Ｋ−１６以下の説明を行う。
　＃Ｋ−１６：タイマー１の計時動作を開始し、＃Ｋ−１８へ進む。
　＃Ｋ−１８：タイマー１が１秒間計時したか否かを検出し、計時されている際には＃Ｋ−１９へ、計時途中の際には＃Ｋ−２０へフローは分岐する。
　＃Ｋ−２０：ストップスイッチ６１がオンされているかを検出しオンされている際には＃Ｋ−２５を介してＩＮＴ　ＬＥＤを消灯して＃Ａ−１に、オンされていない際には＃Ｋ−２１へフローは分岐する。ここでフローが＃Ａ−１に分岐した際には再び＃Ａ−１から＃Ａ−１２のステップが実行されるためストップスイッチ６１が通常の状態でオンされた際にはフローは＃Ａ−１２からサブルーチン▲Ｍ▼を呼び出すことになる。以下サブルーチン▲Ｍ▼について第１７図を用いて説明する。
　＃Ｍ−１：プログラム再生モードフラグがセットされているか否かを検出してセットされていなければ＃Ａ−１４へ、セットされていれば＃Ｍ−２へフローは分岐する。
　＃Ｍ−２：プログラム再生実行フラグがセットされているか否かを検出してセットされていれば＃Ｍ−３へ、セットされていなければ＃Ｍ−４へフローは分岐する。
　＃Ｍ−３：レジスタＩの内容をレジスタＳの内容と同じにする。
　＃Ｍ−４：レジスタＳを０として次いで＃Ｍ−３を実行する。
　かかるサブルーチン▲Ｍ▼についてはプログラム再生モード時に更に詳述する。以下＃Ｋ−２１以降について詳述する。
　＃Ｋ−２１：トラックＵＰスイッチ５４がオンであるかを検出し、オンであることが検出された際にはサブルーチン▲Ｄ▼を呼び出しヘッド３−１、３−２が内周側にシフトされ、オンであることが検出されない際には＃Ｋ−２２にフローは分岐する。
　＃Ｋ−２２：トラックＤＯＷＮスイッチ５５がオンであるかを検出し、オンであることが検出された際にはサブルーチン▲Ｅ▼を呼び出し、ヘッド３−１、３−２が外周側にシフトされ、オンであることが検出されない際には＃Ｋ−１８にフローは分岐する。
　＃Ｋ−１９：Ｔ’から１減算する。
　＃Ｋ−２３：Ｔ’が“０”の際には＃Ｋ−２４に、Ｔ’が“０”でない際には＃Ｋ−１６にフローは分岐する。
　したがって上述の＃Ｋ−１５〜＃Ｋ−２３を実行することによりインターバル再生中においてトラックＵＰスイッチ５４、トラックＤＯＷＮスイッチ５５をオンすることによって再生しているトラックに隣接しているトラックに記録されている映像を再生することができる。またその場合にはスイッチ５４、あるいはスイッチ５５をオンしつづけることによってサブルーチン▲Ｆ▼において設定されたトラック送りスピードに従って再生しているトラックを自動的に順次更新させることが出来、インターバル再生中に数画面前の映像を簡単に再生することも出来る。
　また、トラックＵＰスイッチ５４、トラックＤＯＷＮスイッチ５５をオンすることによって再生しているトラックに隣接しているトラックに記録されている映像を再生するに際して本実施例においてはスイッチ５４、５５をオンする前において再生しているトラックのインターバル時間Ｔｉの残余時間の再生が行われた際にはフローは＃Ｋ−２３から＃Ｋ−２４に移り新たなトラックの再生に更新されるが、第１６図において点線に示した様に、＃Ｋ−５にフローをジャンプさせれば、インターバル時間Ｔ’をリセットしてスイッチ５４、５５によって更新された映像を確実に一定時間観察出来る様に構成することも出来る。
　＃Ｋ−２４：インターバル時間Ｔ’が終了して再生するトラックを更新するに際してプログラム再生モードがセットされているか否かを検出し、セットされている際には＃Ｋ−３へ、セットされていない際には＃Ｋ−６へフローは分岐する。
　次に＃Ｋ−２においてプログラム再生モードフラグがセットされている際に分岐するルーチン▲Ｏ▼について第１８図を用いて説明する。
　＃Ｏ−１：レジスタＳの内容が“０”であるか否かを検出して“０”が検出された際には＃Ａ−１へ“０”でないことが検出された際には＃Ｏ−２へフローは分岐する。前述の通りレジスタＳにはプログラムトラックメモリーのプログラムの設定されている先頭のアドレスが格納されておりレジスタＳの内容が“０”であることはプログラムトラックメモリーに何もプログラムが格納されていない場合を示しているから“０”の際には第６図のＡに戻る。
　＃Ｏ−２：レジスタＩの内容が“０”であるか否かを検出して“０”が検出された際には＃Ｏ−３へ、“０”でないことが検出された際には＃Ｏ−３へフローは分岐する。
　前述の通りレジスタＩにはプログラム再生実行時、次に再生するトラックナンバーが格納されているトラックメモリーのアドレスが格納されており、プログラム再生を実行するに際して後述の＃Ｏ−１４にも示される様に１ステッププログラム再生を実行する毎に１だけ減算される。したがってかかる＃Ｏ−２にフローが分岐し、かつレジスタＩが“０”と検出されるのはプログラムが設定されレジスタＳが“０”ではなく、かつプログラム再生のステップを一通り実行してしまったことを示している。換言すればプログラム再生が一通り実行された際には＃Ｏ−３へ、プログラム再生が一通り実行される途中においては＃Ｏ−５へフローが分岐することになる。
　＃Ｏ−３：サブルーチン▲Ｇ▼で設定されたインターバル時間Ｔｉをとり込み該インターバル時間Ｔｉが“０”であるかを検出し“０”であれば＃Ｏ−１５を実行、即ちＩＮＴ　ＬＥＤを消灯し、トラックＮｏ表示を消灯してジャケットをイジェクトした後フローはルーチン▲Ｏ▼から＃Ａ−１に戻って、プログラム再生動作を終了する。
　したがってインターバル時間を“０”とすることによって設定される外部トリガモードにおいてはプログラム再生が一通り実行されるとプログラム再生動作は中止される。
　またインターバル時間Ｔｉが“０”以外に設定されている際の通常のプログラム再生時には＃Ｏ−４へフローは移る。
　＃Ｏ−４：レジスタＩにレジスタＳの内容を書き込む。
　再びプログラム動作が開始される。
　＃Ｏ−５：レジスタＩに設定されているプログラムトラックメモリーのアドレスのデータ（Ｉ）（プログラムトラックメモリーのレジスタＩに設定されるアドレスに書き込まれているデータをＩにカッコをつけて示す）を読み出す。
　＃Ｏ−６：現在ヘッド３−１がアクセスしているトラックナンバーを示すＮからデータ（Ｉ）を減算して“０”よりも小さくなければ＃Ｏ−７へ、小さければ＃Ｏ−８にフローは分岐する。
　＃Ｏ−７：フィールドフラグをセットする。かかるセットは＃Ｄ−８と同じくフレームモードでヘッド送りを禁止するためである。
　＃Ｏ−８：ヘッド３−１、３−２を外周方向に１トラック分シフトする。
　＃Ｏ−９：ヘッド３−１がアクセスしているトラックナンバーを示すＮからデータ（Ｉ）が等しいかを検出し、等しければ＃Ｏ−１０へ等しくなければ即ちトラックナンバーを示すＮよりもデータ（Ｉ）の方が大きい場合には＃Ｏ−１１へフローは分岐する。
　＃Ｏ−１０：ヘッド３−１、３−２を内周方向に１トラック分シフトする。
　＃Ｏ−１１
　＃Ｏ−１２
　＃Ｏ−１３：＃Ｄ−１６、＃Ｄ−１７、＃Ｄ−１８と同様のステップであり、かかるステップにより記録された映像信号がフレーム映像信号かフィールド映像信号かに応じて自動的にフレーム再生、フィールド再生が行われる。
　尚＃Ｏ−６〜＃Ｏ−１０をくり返すことによりヘッド３−１がプログラムトラックメモリーにプログラムされているトラックをアクセスする様に制御される。
　＃Ｏ−１４：レジスタＩから１減算する。
　＃Ｏ−１５：プログラム再生実行中フラグがセットされる。このステップにより＃Ｋ−２４にてプログラム再生モードフラグがセットされているかを判別することによってフローを分岐させることが出来る。次いでフローは＃Ｋ−５へジャンプする。
　したがって＃Ｋ−３においてルーチン▲Ｏ▼に分岐されるとまず再生プログラムが実際に設定されるか否かが判別され、更に外部トリガモードが設定されているか否かが判別されて、外部トリガモードが設定されている際にはプログラムが一通りしか実行されず、それ以外ではプログラム再生がくり返し行われる。
　また次に、外部トリガモードが設定される際のフローについて説明する。外部トリガモードが設定されている際には第３３図に示すように＃Ｋ−１５から＃Ｋ−１５’−１へフローは分岐する。
　＃Ｋ−１５’−１：ここでプリントフラグがＳＥＴされているか否かを判別する。
　ＳＥＴされている場合には＃Ｋ−１５’−３に進み、ＳＥＴされていない場合は＃Ｋ−１５’−２に進む。
　＃Ｋ−１５’−２：ここで、プリントトラックＮＯのバッファＮＰにＦＦをＳＥＴし、同一トラックの連続プリント枚数を計数するためのバッファＰＶに０をＳＥＴする。（イニシャライズ）
　＃Ｋ−１５’−３：ここで、現在のヘッドのアクセスしているトラックＮＯのバッファＮとＮＰが等しいか否かを判別する。等しい場合には＃Ｋ−１５’−４へ、等しくない場合は＃Ｋ−１５’−５へフローは進む。
　尚、プリント動作が始まればバッファＮＰには＃Ｋ−１５’−５においてＮがセットされているため＃Ｋ−１５’−４へフローは進む。
　＃Ｋ−１５’−４：ここで、ＰＶに１を加える。したがって、プリント動作が開始されればバッファＰＶにプリント枚数が計数される。＃Ｋ−１７へ進む。
　＃Ｋ−１５’−５：ここでＮＰには、現在のヘッド３−１のアクセスしているトラックナンバーＮを入力し、ＰＶに０をＳＥＴする。＃Ｋ−１７’へ進む。
　＃Ｋ−１７’：ここでプリントビジー信号がＨレベルか否かを判別する。Ｈレベルである場合は＃Ｋ−１７’−１に進む。Ｈレベルでない場合は＃Ｋ−２１’−１に進む。尚Ｈレベルである場合とはプリンターが接続されていないか、もしくはプリンターが異常の場合である。
　＃Ｋ−１７’−１：ここで、Ｅ／Ｆ信号が、Ｈレベルか否かを判別する。
　Ｅ／Ｆ信号とは、この場合外部接続されているプリンターから入力される信号であり、プリントビジー信号がＬレベルにある時、プリンターがフレームメモリーもしくはフィールドメモリーを有しているか否かの判別信号として有効な信号となる。すなわち第３４図３）ａ）に示した信号、即ちＥ／Ｆ信号がＨレベルの時にはメモリー付プリンター、Ｌレベルの時にはメモリーなしプリンターと予め決められている。したがってかかる信号のレベルを判別すればプリンターの種類が判別される。ここで、Ｈレベルの時に＃Ｋ−１７’−３へ、Ｌレベルの時＃Ｋ−１７’−２へフローは分岐する。
　＃Ｋ−１７’−２：ＵＰフラグをＳＥＴする。これは接続されているプリンターにメモリが設けられている場合を示す。次いでフローは＃Ｋ−１８’に進む。
　＃Ｋ−１７’−３：ＵＰフラグをクリアする。これは接続されているプリンターにメモリーが設けられていない場合を示す。＃Ｋ−１７’−３’に進む。
　＃Ｋ−１７’−３’：ＰＶが１１以上か否かを判別する。すなわち同一プリント枚数が１１枚以上か否かを判別する。
　＃Ｋ−１８’：プリントスタート信号を出力する。第１６−３図に１）として示すプリントスタート信号の立上がりがプリンターに対してプリントスタートのトリガ信号となる。
　＃Ｋ−１９：ここでＴｏ：１５０ｍｓｅｃＷＡＩＴする。（Ｔｏは第１６−３図に示し、かつＴｏ＜１５０ｍｓｅｃ）
　＃Ｋ−２０：プリントビジー信号のレベルを判別する。プリントビジーがレベルの場合はプリンターがプリント動作に入ったことを示し、Ｈレベルの場合はプリント動作に入らなかったことを示す。Ｌレベル時は＃Ｋ−２０’−１、Ｈレベル時は＃Ｋ−２１’−１に進む。
　＃Ｋ−２０’−１：ＵＰフラグがＳＥＴされているか否かを判別する。
　ＳＥＴされている場合は＃Ｋ−２０−２に、ＳＥＴされていない場合は＃Ｋ−２０’−３に進む。
　＃Ｋ−２０’−２：ここでＵＰフラグがＳＥＴされていたことにより、プリンターはメモリー付であり、かつ、プリントビジーがＨに変化したことにより、プリントがスタート、即ちメモリーへの映像信号のフリーズが完了したことが示される。即ちプリンターがプリントビジー信号を出力するタイミングはメモリーへのフリーズが完了してから（フリーズには前述の１５０ｍｓｅｃあれば充分である）と定められている。ここでは磁気シート１を回転させているモータ２を停止し、ＪＡＣＫＥＴとヘッドを離すための機構を用いる。つまり、これはヘッドが上昇するか、磁気シートが下降するか、あるいは本実施例においてはヘッド３−１、３−２を映像記録トラック以外の位置にヘッド移動機構４により移動させるものでもよい。
　その後＃Ｋ−２０’−３に進む。
　＃Ｋ−２０’−３：プリントフラグをＳＥＴする。次いでＩＮＴ　ＬＥＤを点滅させプリント動作中であることを表示する。＃Ｋ−２０’−４に進む。
　＃Ｋ−２０’−４：プリントビジー信号がＨレベルである時＃Ｋ−２１’へ、Ｌレベルである時＃Ｋ−２１’−２へ進む。
　＃Ｋ−２１’：ＳＴＯＰスイッチがＯＮされているか否かを判別する。ＯＮされていなければ＃Ｋ−２０’−１に分岐し、ＯＮされていれば＃Ｋ−２１’−６に進む。
　＃Ｋ−２１’−１：＃Ｋ−２０’においてプリントビジー信号がＬレベルでなかった場合にここに至る。これはプリンターが、プリントスタート信号を避けて、プリント動作に入らなかったことを示す場合である。ここでプリントフラグがＳＥＴされているか否かを判別する。ＳＥＴされている場合はプリントビジーが一度Ｈレベルに変化したことを示し（＃Ｋ−１８’、＃Ｋ−１９’、＃Ｋ−２０’においてプリンタが動作を開始した場合には、＃Ｋ−２０−３でプリントフラグがセットされる）これはプリンターが動作したことを示す。ＳＥＴされていない場合はプリンターを動作しなかった事を示す。ＳＥＴされている場合＃Ｋ−２１’−４へＳＥＴされていない場合＃Ｋ−２１’−７に進む。
　＃Ｋ−２１’−２：ここでＥ／Ｆ信号がＨレベルであるか否かを判別する。
　ここでＥ／Ｆ信号の働きについて説明する。
　Ｅ／Ｆ信号は、プリンタビジー信号がＨレベルにある時、即ちプリント動作が行われない場合にはプリンタにメモリーがあるか否かを示す信号であることは説明した通りであるが、プリンタビジー信号がＬレベルにある時にＬレベルからＨレベルに変化した後Ｔ１時間には、プリンタ側でエラーが生じたか否かの判別信号として機能する。つまりプリントビジー信号がＬレベルにある時、プリンター側でエラーが生ずるとＥ／Ｆ信号はＬレベルに変化する。そしてプリンター側ではプリントビジーをＬレベルからＨレベルに変化させるが、この変化を本装置が読みとるとその時のＥ／Ｆ信号のレベルを本装置がＴ１時間内に判別することによりプリンタが正常に動作したかプリンタがエラーを発生してプリント動作が完全に行われなかったかを判別する。つまり、プリンタビジー信号がＬレベルからＨレベルに変化したことが検出されてから（＃Ｋ−２０’−４）Ｔ１時間以内に、Ｅ／Ｆ信号のレベルを判別し（＃Ｋ−２１’−２）、Ｈレベルであるときには正常にプリントが行われたとして＃Ｋ−２１’−３に進み、次いで＃Ｋ−２４’へフローが進むことによってプリント動作をくり返す。一方＃Ｋ−２１’−２においてＥ／Ｆ信号がＬレベルであると検出された場合にはプリンタ側で、インクぎれ、プリント用紙ぎれなどのエラーが生じ、プリントが正常に行われなかったとして、連続プリントを中止するために＃Ｋ−２１’−４に進む。
　＃Ｋ−２１’−３：ここでジャケットとヘッドを接触させ、ＭＯＴＯＲを回転させる。またプリントスタート信号をＨレベルにする。このタイミングはＴ１より遅いものとする。次いで第１６−Ｉ図が＃Ｋ−２４へフローは進む。
　＃Ｋ−２１’−４：このステップではジャケットをインジェクトしてしまう。次いでトラックＮＯの表示が表示装置２５’にて行われる。
　＃Ｋ−２１’−５：プリントフラグをクリアする。
　＃Ｋ−２１’−６：このステップはプリント途中でＳＴＯＰＳＷをＯＮした場合に実行されるがジャケットとヘッドを正常な位置にＳＥＴし、モータ２を回転させる。即ちメモリ付プリンタの場合には＃Ｋ−２０’−２においてモータ２が停止しているがストップスイッチ６１がオンされたら通常の磁気シート１からの再生を行うためにモータ２を回転させる。
　＃Ｋ−２１’−７：▲Ａ▼のフローにもどる。
　以上説明したようにプリンタとのインターフェイスにおいてプリントビジー、プリントスタート、Ｅ／Ｆ信号を用いることにより、自動的に連続プリントが行われるわけである。このときＥ／Ｆ信号によって、プリンタがメモリーを有しているか否かをプリントスタート信号を出力する前に判別し、プリンタにメモリーが付いている場合には＃Ｋ−２０’−２においてプリンタが動作した後、すなわちメモリーに映像信号をフリーズした後には、モータ２の動作を停止させ、ヘッド３−１、３−２とシート１の接触を解除し、シートのダメージを軽減している。
　また、プリンタにメモリーがない場合には、前述のＥ／Ｆ信号はＨレベルであって、＃Ｋ−１７’−３’において同一プリント枚数が１０枚を越えている場合には＃Ｋ−２１’−３に分岐し、次のプリントトラックへ移動させる。即ち、１０枚を越えて同一トラックをプリントできないようにしてある。これは磁気シートにダメージを与えないためには重要なことである。しかしメモリーを有しているプリンターの場合はこの限りではなく、本実施例においても１０枚を越えての同一プリントが可能となっている。
　また、＃Ｋ−２１’−１においてプリントフラグがセットされているか否かを判別しているが、これによりプリンターがプリントを１枚でもプリント動作をしたのか否かの判別が行われ、プリントが行われた場合には＃Ｋ−２１’−４に進み、ジャケットがインクジェットされ、そうでない場合に＃Ｋ−２１’−７に進む。
　これにより１枚目のプリントがされない場合にはプリントモードを中止して＃Ｋ−２１’−７に進み、▲Ａ▼のフローにもどる。
　これに対して１枚目のプリントが既に行われ自動プリントを行っている途中でプリントスタートを受けて、プリントビジーがＬレベルにならない場合、つまりプリント動作に入らない場合にはプリンタ側に何らかの異常があったとしてジャケットをインジェクトし、ジャケットの再生を中止してしまう。ただし、１枚もプリントを行わなかった場合には、インジェクトはされず、プリントモードを中止することになる。即ち例えばプリンタを接続した場合であってもプリンタの電源がオンしていない場合も有るので、かかる場合にはジャケットのインジェクトを行うと故障と判断される惧れがある。したがって、かかる動作の必要がない。また、＃Ｋ−２１’−４におけるインジェクト時にはトラックＮｏのＬＥＤにトラックＮｏを表示したので異常がおこったトラックＮｏを確認できる。正常に全てのプリントが終了した場合にはトラックＮｏ　ＬＥＤを消して、インジェクトするようにすればエラー発生時と正常時の判別が容易で、はなはだ使いやすいものになる。
　また上述の＃Ｋ−１７’〜＃Ｋ−２１’−７を実行するに際して外部装置として接続されているプリンタがビジーである場合には前述の様にフローは＃Ａ−１に戻り、再び他のスイッチがオンされるまで第１６図に示したフローをくり返す。第１６図に示したフローをくり返している際に再びスタートスイッチ６０がオンされれば前述のフローをくり返し、再び＃Ｋ−１７’を実行することになる。
　また外部装置としてプリンタが接続されていない際には＃Ｋ−１７’において第１図に示したプリンタ１３’のビジー信号出力端子からの信号が入力する端子がオープンとなってＨレベルとなる。従って外部トリガモードが設定されているにもかかわらずプリンタ等の機器が接続されていない場合にはヘッド３−１、３−２のアクセスしているトラックが再生されつづけて、再生しているトラックは更新されない。
　また外部装置としてプリンタが接続されており、かつ該プリンタがビジーではなく、＃Ｋ−１７’から＃Ｋ−１８’にフローが進んだ場合においてプリントスタート信号を＃Ｋ−１８’でプリンタに送ってから＃Ｋ−１９’に示す１５０ｍｓｐｃ待機した後にプリンタ動作が開始されており、プリンタがビジーとなった場合にはプリンタの動作が終了するか、ストップスイッチ６１がオンされるまで＃Ｋ−２０’−１、２０’−２、２０’−３、＃Ｋ−２１’をくり返し、プリンタの動作が終了した際にはフローは＃Ｋ−２０’−４から＃Ｋ−２１’−２、＃Ｋ−２１’−３を介して＃Ｋ−２４に分岐し、プログラム再生モードフラグがセットされているかを検出することによってプログラム再生が設定されているかを判別する。ここでプログラム再生が設定されている場合にはフローは前述の＃Ｋ−３へ分岐し、プログラム再生が設定されていない場合には＃Ｋ−６へ分岐する。またストップスイッチ６０がオンされた場合には前述のフローの説明の通りである。
　またプログラム再生が設定されている際において外部トリガモードが選択された場合には＃Ｏ−３において説明した通りプログラム再生が一通り実行されるとプログラム再生動作は中止される。
　また本実施例に依れば外部トリガモードが選択されていた場合であり、かつプログラム再生が設定されていない場合であっても＃Ｋ−１０を設けているためヘッド３−１、３−２のアクセスしているトラックから最終トラックまで再生が順次一通り行われると再生動作は中止する。
　従って、外部トリガモードの際にはプログラム再生が設定されている場合であっても、いない場合であっても一通りの再生が行われた後に再生動作が中止するため外部トリガを行う機器としてプリンタを用いた場合には一通りのプリントのみが行われる。
　反対に外部トリガモード以外の際にはプログラム再生が設定されている場合であっても、いない場合であっても予め決められた順序での再生が一通り行われた後には再び最初から再生動作が行われる。従ってかかる再生装置を外部トリガモード以外で用いる場合には、予め決められた順序での再生がくり返し行われるためにいわゆるエンドレス再生を行うことが出来る。
　また本実施例における外部トリガ機器としてはプリンタを示したが例えば電送機能を有する装置であってもよいし、再生された信号を処理する装置であれば他の装置であってもよい。
　次にＩＤを設定する場合について説明する。
　▲Ａ▼のフローにおいて１０キースイッチ６３〜７２がオンされると第１９図に示すサブルーチン▲Ｒ▼にフローは分岐する。
　＃Ｒ−１：ＰＢモードフラグがＳＥＴされていれば＃Ｒ−１０に分岐して▲Ａ▼のフローチャートに戻る。従って記録モード以外では１０キーをオンしてもこのサブルーチンでは実質的に何も実行されない。ＰＢモードフラグがセットされていなければ即ち記録モードであればフローは＃Ｒ−１より＃Ｒ−２に分岐する。
　＃Ｒ−２：ここでＩＤ設定モード即ち、映像信号にＩＤを重畳して、モニターしているモードであるかどうかを判別する。尚、かかるモードの設定方法については第２０図を用いて詳述する。このモードになっていない場合は＃Ｒ−１０に分岐して第６図に示したフローチャートの＃Ａ−１に戻る。また、このモードに成っている場合には、＃Ｒ−３に分岐する。
　＃Ｒ−３：ここで設定されたＩＤをモニタ上のどの位置に表示するかを示すセット位置をメモリーするためのＲＡＭ２７のレジスタＰからセット位置をＣＰＵ４０が読み込み、１０キースイッチ６３〜７２のうちオンされたスイッチに対応したデータがＲＡＭ２７の該セット位置に対応したアドレスに書き込まれる。次いでＣＰＵ４０は読み込んだセット位置に応じたモニターＢ上に前記データを表示する様に文字発生器８４を制御する。
　＃Ｒ−４：ここで、１０キースイッチ６３〜７２が一度オフされるまで待期するオンされていたスイッチがオフされれば＃Ｒ−５にフローは進む。
　＃Ｒ−５：ここでＩＤのうち年月日以外のデータの設定位置は第２１図にも示す様に０〜０までの１１ポイントであるために、ここでレジスタＰが１０に等しい場合は＃Ｒ−６に分岐し、そうでない場合は＃Ｒ−７に分岐する。
　＃Ｒ−６：ここでレジスタＰには０が設定され、ＤＡＴＡの設定位置が初期化される。
　＃Ｒ−７：ここではレジスタＰの値に１加算されＤＡＴＡ設定位置が次の設定位置に移動する。
　＃Ｒ−７−１：レジスタＰに記憶されている位置のデータがブリンクする（点滅する）。
　＃Ｒ−８：このステップにおいて、１０キースイッチ６３〜７２がオンされているかどうかを判別し、オンされている場合には＃Ｒ−３に分岐して、上述したようなフローに従って１０キースイッチにより設定されたＩＤがモータ１３上に表示される。オンされていない場合には＃Ｒ−９に分岐する。
　＃Ｒ−９：ここで、１０キースイッチ６３〜７２以外のスイッチがオンされているかどうかを判別し、オンされていない場合はＲ−８に分岐する。オンされている場合には＃Ｒ−１１に分岐する。
　＃Ｒ−９−１：モニタ上に表示されているＩＤのブリンクを停止する。フローは＃Ｒ−１０に進む。
　＃Ｒ−１１：ここではＩＤの設定位置のレジスタＰにＯを設定し、ＩＤの設定位置を初期化し＃Ｒ−９−１に進む。
　＃Ｒ−１０：▲Ａ▼のフローに戻る。
　以上説明したようにＰＢモードフラグがセットされておらずかつ、ＩＤ設定モードつまり設定されたＩＤがモニターできるモードにあるときには、１０キースイッチ６３〜７２をオンするごとに、そのスイッチに対応したデーがＣＰＵ４０により文字発生器８４を制御してレジスタＰにより定められた位置に発生させられる。
　次に、ＩＤスイッチ７３について説明する。
　スイッチ７３をオンすると▲Ａ▼に示すフローより第２０図に示すサブルーチンＱがコールされる。ここでサブルーチン▲Ｑ▼について説明する。
　＃Ｑ−１：ここでＰＢモードフラグがセットされているか否かを判別しセットされている場合には＃Ｑ−２に、そうでない場合には＃Ｑ−７に分岐する。
　＃Ｑ−２：ここで、ＩＤ表示モードであるか否か、つまり、ＩＤが、モニター上に、映像信号に重畳されて出力されるモードであるか否かを判別する。ＩＤ表示モードである場合には＃Ｑ−４に、そうでない場合には＃Ｑ−３に分岐する。
　＃Ｑ−３：ここで、ＣＰＵ４０は文字発生器８４を制御して、該発生器８４より出力されているＩＤの表示を停止させる。ここより＃Ｑ−６にフローは進む。
　＃Ｑ−４：ここで、ＣＰＵ４０はＲＡＭ２７より、再生されたＩＤをＣＰＵ４０に取り込み、フローは＃Ｑ−５に進む。
　＃Ｑ−５：ここでＣＰＵ４０は再生されたＩＤに基づいて、文字発生器８４を制御し、再生ＩＤを文字パターンとして第２１図（ａ）に示す様に文字発生器８４より出力させる。次いでフローは＃Ｑ−６に進む。
　＃Ｑ−６：ここで、スイッチ７３がオンされている場合は待期し、オフとなった場合には、フローは次に進み、▲Ａ▼のフローに戻ることになる。
　＃Ｑ−７：ＰＢモードフラグがセットされておらず記録モードの際にはＩＤ設定モードであるか否かを判別する。つまり、ＩＤが文字発生器８４により文字パターンとして映像信号に重畳されて出力されているモードである場合には＃Ｑ−９にフローは進む。そうでない場合に＃Ｑ−８にフローは進む。
　＃Ｑ−８：ここで“ＩＤ”という文字が文字発生器８４により出力されているモードか否かを判別しそうである場合には＃Ｑ−１０に、そうでない場合には＃Ｑ−１１にフローは進む。
　＃Ｑ−９：このステップではＣＰＵ４０は文字発生器８４を制御してＩＤの表示を停止し、“ＩＤ”という２文字のパターンを第２１図（ｂ）に示す様に文字発生器８４により発生させ、“ＩＤ”文字表示モードにする。次いでフローは＃Ｑ−６に進む。即ちＩＤ設定モードの際にＩＤスイッチ７３をオンにすると、“ＩＤ”文字表示モードが設定される。
　＃Ｑ−１０：このステップではＣＰＵ４０は文字発生器８４を制御して、第２１図（ｃ）に示す様に全ての文字パターンの表示を停止する。次いでフローは＃Ｑ−６に進む。
　＃Ｑ−１１：このステップにフローが至る場合はＩＤ設定モードでもなく“ＩＤ”文字表示モードでもない、即ちＩＤのモニタ表示を停止するモードとなっているためＣＰＵ４０はＲＡＭ２７より、設定されたＩＤを取り込み文字発生器８４を制御し、設定されたＩＤを文字パターンとして第２１図（ａ）に示す様に文字発生器８４より出力させる。即ちこのステップによってＩＤ設定モードが設定される。次いでフローは＃Ｑ−６に進む。
　以上説明したようにＩＤスイッチ７３をオンする毎にＩＤの表示形式が書きかえられることになる。つまり、再生モードである場合には、ＩＤスイッチ７３をオンする毎に再生ＩＤ　ＤＡＴＡが映像信号に重畳されてモニターされるＩＤ表示モードと、再生ＩＤ　ＤＡＴＡを出力しないＩＤ非表示モードがくり返されることになる。即ち具体的には第２１図（ａ）に示すＩＤ表示モード（ｃ）に示すＩＤ非表示モードとのくり返しが行われることになる。また記録モードである場合には設定するＩＤを全て表示するＩＤ設定モードと、“ＩＤ”文字だけを表示する。“ＩＤ”文字表示モードと、モニタ上にＩＤを表示しないモードとがＩＤスイッチ７３をオンする毎にくり返し切り換わることになる。即ち具体的には第２１図（ａ）、（ｂ）、（ｃ）に示すモードがくり返し切り換わることになる。以下記録モードにおけるＩＤの表示について更に述べる。記録モードにおける第２１図（ａ）、（ｂ）に示すモードにおいて映像信号の記録を実行した場合第１２図＃Ｎ−５、＃Ｎ−６において映像信号とともにＩＤが、ＤＰＳに変調されて更に映像信号と周波数多重されて記録されることになる。また第２０図（ｃ）のモードにおいて映像信号の記録を実行した場合にはＩＤデータの記録は行なわれない。ただしフレームの内側か外側か、フィールド記録かを示すＤＡＴＡは常に映像信号と共に記録される。
　即ち本実施例においてはＩＤスイッチを押す回数により記録モード時、再生モード時いずれの場合にもモニタ１３のＩＤに関する表示を切り換えることが出来る。
　また本実施例においてはＩＤを映像信号とともに記録する記録モードにおいて第２１図（ａ）に示す表示を行うＩＤ設定モードと、第２１図（ｂ）に示す表示を行う“ＩＤ”文字表示モードとを有しているが、かかる２つの表示モードを設けた理由について説明する。即ち、ＩＤとしては年月日と１１けたの数字とが設定可能であるが、第２１図（ａ）に示す様にＩＤの情報の全てを表示させようとするとモニタ１３の画面上のかなりの面積を占めることになり、映像の観察の邪魔になることがあるという問題点があるため第２１図（ｂ）に示す様な表示モードを設けてかかる問題点を解消している。
　次に、再生モードにおいて、再生されたＩＤの表示方法について説明する。即ち記録モードにおいて第２１図（ａ）、（ｂ）に示すモードがＩＤスイッチ７３により設定されている際に映像信号とともに記録されたＩＤを再生する場合の表示方法について説明する。再生モード時においては、新しいトラックにヘッドを移動させた時にはかかるトラックに記録されているＩＤがモニタ１３上に再生されることになる。これは第１図に示したデータ復調器１２により再生されたＩＤが復調され、この出力をＣＰＵ４０が読み取り、更に文字発生器８４を駆動することにより行われる。ここでＣＰＵ４０が読み取ったＩＤはＣＰＵ４０によりＲＡＭ２７に保持されることになる。かかるＩＤの表示については第２１図（ａ）を用いて説明したが、本実施例においてはＲＡＭ２７に保持された文字の表示モードとして次のＩ）、ＩＩ）に示す２つのモードを有している。
Ｉ）　ＩＤのデータとして年月日のみが設定されており、他のデータについては何も設定されずに記録されたＩＤを再生した際に表示する第１の表示モード。
ＩＩ）　ＩＤ　ＤＡＴＡとして年月日と他の数字データがともに設定され記録されたＩＤを再生した際の第２の表示モード。
Ｉ）におけるＩＤの表示を第２２図（ａ）に示す。
ＩＩ）におけるＩＤの表示を第２２図（ｂ）に示す。
　すなわちＩ）に対する表示は年月日のみをモニタ上の右下すみに表示し、ＩＩ）に対しては年月日と他のデータをモニタ上の右下すみに表示する。したがってＩＤの情報の表示は常にモニタの画面の右下すみに行われ、映像信号に対して邪魔になることが出来るだけ防止出来る。また本実施例においては画面右下すみに表示を行う様にしたが、画面のすみであればどこでもよい。
　この動作を実行させるためには、第１図のデータ復調器１２の出力信号をＣＰＵ４０で読み取った後、年・月・日以外のデータがすべて設定されていないことを確認した後文字を発生させればよい。つまり、上記Ｉ）、ＩＩ）の場合とで文字の発生位置を異なる様にＣＰＵ４０は文字発生器８４を制御する。
　また、年月日以外のデータに対して、本装置が記録した場合のＤＡＴＡでないことが判別された場合にも第２２図（ｂ）に示す表示を行なう。
　これはよく知られたチェックコードをＩＤ　ＤＡＴＡとして記録しておくことにより判別ができるものである。
　次にＩＤとして年月日の設定を行なう場合について説明する。▲Ａ▼のフローにおいて、年設定スイッチ７４がオンされるとフローは第２３図に示したサブルーチン▲Ｓ▼に飛ぶことになる。
　＃Ｓ−１：ここでＰＢモードフラグがセットされている場合はフローは＃Ｓ−１４に進み、▲Ａ▼のフローに戻る。セットされていない場合は＃Ｓ−２に進む。
　＃Ｓ−２：ここでＩＤ設定モード、すなわち映像信号にＩＤデータを重畳してモニタあるいはプリンタに出力するモードであるかどうかを判別する。このモードになっていない場合には＃Ｓ−１４に進み、▲Ａ▼のフローに戻る。このモードになっている場合には、＃Ｓ−３に進む。
　＃Ｓ−３：ここで、モニタ１３上の年設定位置の１０位ケタの数字がブリンクする年設定位置の１０位ケタの数字のブリンクとは第２４図（ａ）の▲１▼に示す位置の文字かブリンクすることを意味する、これは、ＣＰＵ４０が文字発生器８４を制御して、この位置の文字を発生させたり、発生させない様にすることによって実行される。これは、よく知られている割り込み処理により行なわれている。次いでフローは＃Ｓ−４に進む。
　＃Ｓ−４：ここでスイッチ７４がオフされるまで待期する。スイッチ７４がオフされると、フローは＃Ｓ−５に進む。
　＃Ｓ−５：ここで１０キースイッチ６３〜７２がオンされているか否かを判別する。１０キースイッチがオンされている場合にはフローは＃Ｓ−６に進む。そうでない場合は＃Ｓ−１２に進む。
　＃Ｓ−６：ここでＣＰＵ４０は１０キースイッチによる入力デ一タをＲＡＭ２７に書き込み、年設定位置である第２４図（ａ）に▲１▼として示す位置に、文字発生器８４を制御することによって文字パターンを発生させる。次いでフローは＃Ｓ−７に進む。
　＃Ｓ−７：年設定位置の１位ケタ目の数字をブリンクさせる。これは第２４図▲２▼に示す位置の文字がブリンクすることを意味する。ブリンクはＣＰＵ４０が文字発生器８４を制御することにより実行される。フローは＃Ｓ−８に進む。
　＃Ｓ−８：ここで１０キースイッチがオフされるまで待期する。１０キースイッチがオフされるとフローは＃Ｓ−９に進む。
　＃Ｓ−９：ここで１０キースイッチがオンされているか否かを判別する。オンされている場合にはフローは＃Ｓ−１０に、そうでない場合は＃Ｓ−１３に進む。
　＃Ｓ−１０：１０キースイッチがオンされた場合にはＣＰＵ４０は、１０キースイッチにより入力されたデータをＲＡＭ２７に書き込み、年設定位置の１位ケタ目である第２４図（ａ）の▲２▼に示す位置に、文字発生器８４を制御して文字パターンを発生させる。次いでフローは＃Ｓ−１１に進む。
　＃Ｓ−１１：年設定位置における文字のブリンクをＣＰＵ４０が文字発生器８４を制御することにより停止させる。これにより使用者は年設定が終了した事を知ることが出来る。フローは＃Ｓ−１４に進む。
　＃Ｓ−１２：＃Ｓ−５において１０キースイッチがオンされていない場合には１０キー以外のスイッチがオンされているか否かを判別する。オンされていない場合にはフローは＃Ｓ−５に分岐することになり＃Ｓ−５，＃Ｓ−１２のステップをくり返し、１０キー以外のスイッチがオンされている場合は＃Ｓ−１１に進む。
　＃Ｓ−１３：ここで１０キー以外のスイッチがオンされているか否かを判別する。オンされていない場合にはフローは＃Ｓ−９に分岐し、オンされている場合には＃Ｓ−１１に分岐する。したがって１０キー以外のスイッチがオンされるまでは＃Ｓ−９，＃Ｓ−１３のステップをくり返すことによって年設定位置における文字のブリンクは続き、使用者に１０キースイッチによる年設定を促す。
　＃Ｓ−１４：ＰＢモードフラグがセットされている場合、ＩＤ設定モードの場合、＃Ｓ−１１によってブリンクが停止した場合にはこのステップによりフローは▲Ａ▼に戻る。
　以上説明したように、年設定スイッチ７４をオンすることによりまず年設定位置の１０位ケタ目である数字がブリンクを開始し、データの設定される位置を操作者に伝える。ここで１０キースイッチにより数字を入力することによりブリンクしている位置に入力したデータが文字パターンとして文字発生器８４により発生させられるとともに、ＣＰＵはＲＡＭ２７にそのデータを保持する。１０位ケタ目の設定が終了すると次は１ケタ目の位置の数字がブリンクを開始し、同様にしてこの位置にＤＡＴＡの設定が行なわれる。ここで、１ケタ目の設定が完了すると年の設定モードは終了し▲Ａ▼に示すフローに戻ることになるが、このまま▲Ｔ▼に示すフローに進んで、月の設定モードに入るようにしてもよい。
　次に、第２５図に示すサブルーチン▲Ｔ▼を参照しながら月のＤＡＴＡの設定について詳細に述べる。
　▲Ａ▼のフローにおいて、スイッチ７５がオンされると、サブルーチン▲Ｔ▼が呼び出され、月ＤＡＴＡの設定モードとなる。
　＃Ｔ−１：ここでＰＢモードフラグがセットされている場合フローは＃Ｔ−１６に進み▲Ａ▼のフローに戻る。ＰＢモードフラグがセットされていない場合にはフローは＃Ｔ−２に進む。
　＃Ｔ−２：ここでＩＤ設定モードすなわち映像信号にＩＤデータを重畳してモニタあるいはプリンタに出力するモードであるかどうかを判別する。このモードになっていない場合には＃Ｔ−１６に進み、▲Ａ▼のフローに戻る。このモードになっている場合には＃Ｔ−３に進む。
　＃Ｔ−３：ここで、モニタ上の月設定位置の１０位ケタの数字をブリンクさせる。月設定位置の１０位ケタの数字のブリンクとは第２４図（ａ）の▲３▼に示す位置の文字がブリンクすることを意味する。これはＣＰＵ４０が文字発生器８４を制御することによって、文字を発生させたり発生しない様にさせたりすることによって実行される。次いでフローは＃Ｔ−４に進む。
　＃Ｔ−４：ここで月設定スイッチ７５が、オフされるまで待期する。スイッチ７５がオフされるとフローは＃Ｔ−５に進む。
　＃Ｔ−５：ここで、１０キースイッチ６３〜７２がオンされているか否かを判別する。１０キースイッチがオンされている場合にはフローは＃Ｔ−６に進み、そうでない場合には＃Ｔ−１３に進む。
　＃Ｔ−６：ここで、１０キースイッチにより入力されたデータが２以上であるか否かを判別する。２以上である場合にはフローは＃Ｔ−１４に進み、そうでない場合には＃Ｔ−７に進む。即ち月設定の場合、初めに入力された数字が“１”もしくは“０”の場合のみ１位ケタの数字を受け付ける様にするためこのステップで設定された数字に応じてフローを分岐させる。
　＃Ｔ−７：ここでＣＰＵ４０は入力データをＲＡＭ２７に書き込むとともに文字発生器８４を制御して文字パターンを第２４図（ａ）の▲３▼に示す位置、すなわち＃Ｔ−３においてブリンクさせた位置に発生させる。フローは＃Ｔ−８に進む。
　＃Ｔ−８：ここで、月設定位置の１位ケタの数字をブリンクさせる。これは第２４図（ａ）の▲４▼の示す位置の文字がブリンクすることを意味する。フローは＃Ｔ−９に進む。
　＃Ｔ−９：ここで１０キースイッチがオフされるまで待期する。１０キースイッチがオフされるとフローは＃Ｔ−１０に進む。
　＃Ｔ−１０：ここで１０キースイッチがオンされているか否かを判別する。オンされている場合にはフローが＃Ｔ−１１に、そうでない場合は＃Ｔ−１５に進む。
　＃Ｔ−１１：ここで、ＣＰＵ４０は＃Ｔ−５もしくは＃Ｔ−１０において１０キースイッチにより入力されたデータをＲＡＭ２７に書き込み、月設定位置の１位ケタである第２４図▲４▼に示す位置に文字発生器８４を制御して文字パターンを発生させ次いでフローは＃Ｔ−１２へ進む。尚＃Ｔ−１４からこのステップに分岐した場合には＃Ｔ−１４、＃Ｔ−１１を実行することにより、＃Ｔ−５において１０キースイッチにより入力されたデータが１位ケタに表示され１０位ケタには“０”が表示される。
　＃Ｔ−１２：月設定位置のデータのブリンクを停止し、月設定が終了したことを表示する。フローは＃Ｔ−１６に進む。
　＃Ｔ−１３：このステップには＃Ｔ−５において１０キースイッチがオンされない場合に分岐する。ここで１０キー以外のスイッチがオンされているか否かを判別する。オンされていない場合には＃Ｔ−５に分岐し、オンされている場合には＃Ｔ−１２に分岐する。すなわち１０キースイッチあるいはその他のスイッチがオンされるまでは＃Ｔ−５、＃Ｔ−１３のフローをくり返し、１０キースイッチがオンされた場合にはフローは＃Ｔ−６へ１０キースイッチ以外がオンされた場合にはフローは＃Ｔ−１２へ分岐する。
　＃Ｔ−１４：このステップには＃Ｔ−６において入力データが“２”以上であったことが判別された際に分岐する。ここで、ＣＰＵ４０はＲＡＭ２７にデータ“０”を書き込み、月設定位置の１０位ケタに文字発生器８４を制御して文字パターン“０”を発生させる。フローは＃Ｔ−１１へ進む。
　＃Ｔ−１５：ここで１０キー以外のスイッチがオンされているか否かを判別する。オンされていない場合には＃Ｔ−１０に分岐し、オンされている場合には＃Ｔ−１２に分岐する。
　＃Ｔ−１６：▲Ａ▼のフローに戻る。
　以上説明したように、スイッチ７５をＯＮすることによってまず月の設定位置における１０位ケタがブリンクすることにより１０キースイッチで入力するデータを設定すべき位置がまず示されることになる。ここで２以上のデータが入力された場合には、自動的に１０位ケタには“０”が設定され１位ケタに入力データが設定されることになる。もちろん１以下の入力があった場合には１０位ケタに入力され次にブリンクする位置が１位ケタに移動し、次に１０キーで入力したデータは１位ケタに設定されることはいうまでもない。したがって本実施例に依れば月の設定に際しては１０位ケタに２以上が設定されることがないということを利用して簡便な月設定を行わせる様にすることが出来る。
　また、＃Ｔ−３において、ここでは１０位ケタだけをブリンクさせることとしたが、ここで１０位ケタと１位ケタと共にブリンクさせてもよい。
　さらに次の１位ケタの設定が完了するとこの例では▲Ａ▼のフローに戻ることになるがこのまま第２６図に示すサブルートチン▲Ｕ▼に進んで日の設定モードに入るようにしてもよい。
　次に第２６図を参照しながら日のデータ設定について詳述する。▲Ａ▼のフローにおいてスイッチ７６がオンされると日のデータの設定モードが呼び出されフローは▲Ｕ▼に飛ぶ。
　＃Ｕ−１：ここでＰＢモードフラグがセットされている場合フローは＃Ｕ−１６に進み、▲Ａ▼のフローに戻る。ＰＢモードフラグがセットされていない場合には＃Ｕ−２に進む。
　＃Ｕ−２：ここでＩＤデータのＳＥＴモード、すなわち映像信号にＩＤデータを重畳してモニタあるいはプリンタに出力するモードであるかどうかを判別する。このモードになっていない場合には＃Ｕ−１６に進み、▲Ａ▼のフローに戻る。このモードになっている場合には、＃Ｕ−３に進む。
　＃Ｕ−３：ここで、モニタ上の日設定位置の１０位ケタの数字をブリンクさせる月設定位置の１０位ケタの数字のブリンクとは第２４図（ａ）の▲５▼に示す位置の文字がブリンクすることを意味する。これは、ＣＰＵ４０が文字発生器８４を制御することによって、文字を発生させたり、発生しない様にさせたりすることによって実行される。次いで、フローは＃Ｕ−４に進む。
　＃Ｕ−４：ここで、日設定スイッチ７６がオフされるまで待期する。スイッチ７６がオフされると、フローは＃Ｕ−５に進む。
　＃Ｕ−５：ここで１０キースイッチ６３〜７２がオンされているか否かを判別する。１０キースイッチがオンされている場合にはフローは＃Ｕ−６に進み、そうでない場合は＃Ｕ−１３に進む。
　＃Ｕ−６：ここで１０キースイッチにより入力データが４以上であるか否かを判別する。４以上である場合にはフローは＃Ｕ−１４に進み、そうでない場合には＃Ｕ−７に進む。即ち月設定の場合、初めに入力された数字が“３”、“２”、“１”、“０”の場合のみ１位ケタの数字を受け付ける様にするためこのステップで設定された数字に応じてフローを分岐させる。
　＃Ｕ−７：ここでＣＰＵ４０は入力データをＲＡＭ２７に書き込むとともに文字発生器８４を制御して文字パターンを第２１図（ａ）の▲５▼に示す位置、すなわち＃Ｕ−３において、ブリンクさせた位置に発生される。フローは＃Ｕ−８に進む。
　＃Ｕ−８：ここで日設定位置の１位ケタの数字をブリンクさせる。これは第２４図（ａ）の▲６▼に示す位置の文字がブリンクすることを意味する。フローは＃Ｕ−９に進む。
　＃Ｕ−９：ここで１０キースイッチがオフされるまで待期する。１０キースイッチがオフされるとフローは＃Ｕ−１０に進む。
　＃Ｕ−１０：ここで１０キースイッチがオンされているか否かを判別する。オンされている場合にはフローは＃Ｕ−１１に、そうでない場合は＃Ｕ−１５に進む。
　＃Ｕ−１１：ここで、ＣＰＵ４０は＃Ｕ−５もしくは＃Ｕ−１０において１０キースイッチにより入力されたデータをＲＡＭ２７に書き込み、日設定位置の１位ケタである第２４図“６“に示す位置に文字発生器８４を制御して文字パターンを発生させ、次いでフローは＃Ｕ−１２へ進む。尚、＃Ｕ−１４からこのステップに分岐した場合には＃Ｕ−１４、＃Ｕ−１１を実行することにより、＃Ｕ−５において１０キースイッチにより入力されたデータが１位ケタに表示され１０位ケタには“０”が表示される。
　＃Ｕ−１２：日設定位置のデータのブリンクを停止し、日設定が終了したことを表示する。フローは＃Ｕ−１６に進む。
　＃Ｕ−１３：このステップには＃Ｕ−５において１０キースイッチがオンされていない場合に分岐する。ここで１０キー以外のスイッチがオンされているか否かを判別する。オンされていない場合には＃Ｕ−５に分岐し、オンされている場合には＃Ｕ−１２に分岐する。すなわち１０キースイッチあるいはその他のスイッチがオンされるまでは＃Ｕ−５、＃Ｕ−１３のフローをくり返し、１０キースイッチがオンされた場合にはフローは＃Ｔ−６へ１０キースイッチ以外がオンされた場合にはフローは＃Ｕ−１２へ分岐する。
　＃Ｕ−１４：このステップには＃Ｕ−６において入力データが“４”以上であったことが判別された際に分岐する。ここで、ＣＰＵ４０はＲＡＭ２７にデータ“０”を書き込み、月設定位置の１０位ケタに、文字発生器８４を制御して文字パターン“０”を発生させる。フローは＃Ｕ−１１へ進む。
　＃Ｕ−１５：ここで１０キー以外のスイッチがオンされているか否かを判別する。オンされていない場合には＃Ｕ−１０に分岐し、オンされている場合には＃Ｕ−１２に分岐する。
　＃Ｕ−１６：▲Ａ▼のフローに戻る。
　以上説明したように、スイッチ７６をオンすることによってまず日の設定位置における１０位ケタがブリンクすることにより、１０キースイッチで入力するデータを設定すべき位置がまず示されることになる。ここで４以上のデータが入力された場合には、自動的に１０位ケタには“０”が設定され１位ケタに入力データが設定されることになる。もちろん３以下の入力があった場合には１０位ケタに入力され次にブリンクする位置が１位ケタに移動し、次に１０キーで入力したデータは１位ケタに設定されることはいうまでもない。したがって本実施例に依れば日の設定に際しては１０位ケタに４以上が設定されることがないということを利用して簡便な日設定を行わせる様にすることが出来る。
　また、＃Ｕ−３において、ここでは１０位ケタだけをブリンクさせることとしたが、ここで１０位ケタと１位ケタと共にブリンクさせてもよい。
　以上説明した本実施例においては設定位置を示すために表示をブリンクしていたが、他の方法例えば輝度を変えるかあるいは色を変えるか等の方法により設定位置を示す様にしてもよい。
　次に消去のシーケンスについて説明する。消去を行う場合には第１図に示した消去実行スイッチ７８、消去スタンバイスイッチ７７を用いる。すなわち消去を実行する場合には予めスイッチ７７により消去のスタンバイ状態としておき、次いでスイッチ７８の消去実行スイッチをオンした際に初めて消去が実行されることになる。また、消去には、連続的に複数トラックを消去するモードと、単一のトラックのみを消去するモードとがある。以下、第２７図に示す▲Ｖ▼のフローチャートに基づいて、上記の動作について詳述する。第１図のＡのフローチャートにおいて、スイッチ７７がオンされるとフローはサブルーチンＶをコールし＃Ｖ−１に進む。ここで、消去のスタンバイ状態が設定されるわけであるが、この時、消去トラック数を記憶するためのバッファメモリーＥには“ＦＦ”が設定される。また、トラックナンバー表示を行なっている２桁の７セグメントＬＥＤ２５においてヘッド３−１のアクセスしているトラックナンバーが、約２Ｈｚの周期で、点灯、非点灯をくり返す点滅動作を行なう。つまり、トラックナンバー表示ＬＥＤの点滅（２Ｈｚ周期）によって、操作者は消去のスタンバイモードが設定されたことを確認できる。
　即ち、消去のスタンバイ状態であることを表示するために専用の表示素子を用いる方法に比して本実施例の方法に依ればかかる専用の表示素子を用いる必要がないばかりかトラックナンバーを表示する表示器の表示形態をかえることにより、かかる消去のスタンバイ状態の表示を行う様にしたので消去しようとしているトラックナンバーが認識し易くなる。また本実施例では７セグメントＬＥＤ２５の表示を点滅させることにより消去のスタンバイ状態を表示する様にしたが、表示素子は他の液晶等を用いてもよいのは勿論であり、点滅させる他に表示の色、輝度をかえたり、あるいは表示文字の形態を変えたという様に種々の方法が可能である。
　またトラックナンバーを表示する表示器以外の別の情報、例えば空きトラック数を表示する表示器が設けられている場合にはかかる表示器の表示形態を前述の様に変えることによって消去のスタンバイ状態であることを表示する様にしてもよい。
　次にフローは＃Ｖ−２に進む。
　＃Ｖ−２：ここでＰＢモードフラグが設定されているか否かを判別し、設定されている場合には＃Ｖ−４にフローは進み、そうでない場合にスイッチ７７がオフとなったことを確認してからフローは＃Ｖ−３に進む。
　＃Ｖ−３：ここで前述した再生モードを設定するためのサブルーチン▲Ｃ▼が呼び出され、再生モードが設定され、フローは＃Ｖ−４に進む、したがって消去スタンバイスイッチ７７がオンされると＃Ｖ−２、＃Ｖ−３を実行することにより必ず再生モードとなり消去のスタンバイ状態が設定される。
　＃Ｖ−４：ここでスイッチ７８、即ち消去実行スイッチがオンされているか否かを判別する。オンされている場合には＃Ｖ−４−１にそうでない場合には＃Ｖ−１５にフローは進む。
　＃Ｖ−４−１：ここで磁気シート１の不図示のケースにあらかじめ用意されている、爪の有無を判別するスイッチによりこのステップの分岐先が決定される。つまり、この爪は誤消去防止爪の機能を有し、これが折りとられている場合には、消去を行なわない様に予め約束されている。したがって誤消去防止が設定されている場合はフローは＃Ｖ−１８に進む。設定されていない場合にはフローは＃Ｖ−５に進む。
　＃Ｖ−５：このステップでは消去トラック数を記憶するためのバッファメモリーＥ（以下Ｅと示す）に設定されている値が“０”であるか否かを判別する。尚バッファメモリーＥは＃Ｖ−１において予め“ＦＦ”に設定されているが後述する＃Ｖ−１５において設定値をかえることも可能である。ここでバッファメモリーＥに設定されている値が“０”である場合にはフローは＃Ｖ−１８に、そうでない場合には＃Ｖ−５−１にフローは進む。次に＃Ｖ−５−１の説明を行う。
　＃Ｖ−５−１：このステップではバッファメモリーＥに設定されている値が“ＦＦ”であるか否かを判別する。“ＦＦ”である場合には、フローは＃Ｖ−６に進み、“ＦＦ”でない場合には＃Ｖ−５−２に進む。
　＃Ｖ−５−２：フィールドフラグをＳＥＴし、フィルード再生モードが設定される。フローは＃Ｖ−６に進む。
　＃Ｖ−６：ここで、トラックナンバー表示を行う７セグメントＬＥＤ２５の点滅が＃Ｖ−１にて設定された２Ｈｚから５Ｈｚの早い周期に切り換わる。また連続トラック消去を行う場合には後述の＃Ｖ−１７においてヘッド３−１のアクセスしているトラックナンバーの代りに設定されたトラック数を７セグメントＬＥＤ２５により表示する様にしているが、かかる場合であっても＃Ｖ−６を実行することによって７セグメントＬＥＤ２５にトラックナンバーを表示する様に自動的に切り換えが行われる。したがって連続トラック消去時において現在どのトラックが消去されているかを使用者は確認することが出来る。
　＃Ｖ−７：ここでＣＰＵ４０が消去信号発生器８５を制御して、消去信号を発生させ、消去が実行される。尚、消去を実行する際には第１図に示すスイッチ２、スイッチ３を制御してヘッド３−１、３−２の少なくとも一方を記録アンプに接続される。ここで、フィールドフラグがセットされている場合、つまりフィールド再生モードの場合には、再生している第１図に示すヘッド３−１にのみ消去電流が流れ、１トラック分が消去されるが、フィールドフラグがクリアされている場合つまりフレーム再生が選択されていた場合には、第１図に示すヘッド３−１、３−２の両方に同時に消去電流が流れ１フレーム分のトラック、言いかえれば隣接する２トラック分の映像信号の消去が実行される。尚、本実施例においてはフレームモードでの消去が実行されるのは＃Ｖ−５−１より＃Ｖ−５−２を経由せずに＃Ｖ−６にフローが進んだ場合に限られている。つまり＃Ｖ−５−１においてバッファメモリーＥの値が“ＦＦ”に設定されている場合、即ち後述する連続消去モードを選択しなかった場合である。
　＃Ｖ−８：ここで消去が終了するまで待期する。消去が終了した場合には＃Ｖ−８−１にフローは進む。
　＃Ｖ−８−１：ここでＥが“ＦＦ”と等しいか否かを判別する。“ＦＦ”と等しい場合には単一消去モードであるため、フローは＃Ｖ−１８に進み、そうでない場合には連続トラック消去が設定されているため＃Ｖ−９に進む。
　＃Ｖ−９：ここでバッファメモリーＥの値が１減算される。フローは＃Ｖ−１０に進む。
　＃Ｖ−１０：このステップでバッファメモリーＥの値が０よりも大きいか否かを判別する。即ち連続トラック消去が設定されている際における消去すべきトラック数を検出して、０より大きい場合にはフローは＃Ｖ−１１に進む、そうでない場合には連続トラック消去が終了したものとして＃Ｖ−１８に進む。
　＃Ｖ−１１：このステップにおいてストップスイッチ６１がオンされているか否かを判別する。オンされている場合にはフローは＃Ｖ−１８に分岐し、オンされていない場合には＃Ｖ−１２に進む。即ち後述する連続消去モードが選択され、これを実行している時にストップスイッチ６１の操作をすれば連続消去を中断させることが出来る。次いでフローは＃Ｖ−１２に進む。
　＃Ｖ−１２：このステップでトラックナンバーのバッファメモリーのＮが５０以上であるか否かつまりヘッド３−１のアクセスしているトラックが最終トラックであるか否かを判別する。そうである場合にはフローは＃Ｖ−１８に進み消去動作を終了させ、そうでない場合には＃Ｖ−１３に進む。
　＃Ｖ−１３：このステップを実行することによりヘッド３−１、３−２がアクセスしているトラック位置が、内周側に１トラック分だけ移動する。またヘッド３−１、３−２の移動とともにトラックナンバーのメモリーのＮにＮ＋１が設定される。次いでフローは＃Ｖ−５−２に分岐する。したがって連続トラック消去の際にはストップスイッチ６１がオンされるか、あるいは最内周のトラックが消去されるまでは＃Ｖ−５−２〜＃Ｖ−１３のフローをバッファメモリーＥの値が０となるまで即ち設定されたトラック数の消去が完了するまでくり返す。
　次に上述の様に実行される連続消去モードを設定するための＃Ｖ−１５以降のフローについて説明する。
　＃Ｖ−１５：第１図において６３〜７２に示す１０キースイッチのいずれかがオンされているか否かを判別し、オンされている場合は＃Ｖ−１６にオンされていない場合は＃Ｖ−１５−１にフローは進む。
　＃Ｖ−１６：このステップにおいては連続トラック消去モードが設定されることになる。つまり１０キースイッチ６３〜７２により入力した数が連続消去が実行されるトラック数となる。消去トラック数バッファーＥにはオンされた１０キーの数値が１の位に設定される。次いでフローは＃Ｖ−１７に進む。
　＃Ｖ−１７：このステップにおいて７セグメントＬＥＤ２５に、Ｅの値が表示される。この様子を第２８図を参照して説明する。＃Ｖ−１５において、最初にオンした１０キースイッチの値がＥの１の位に設定（＃Ｖ−１６）されるとともに、このステップにおいて第２５図（ａ）に示すように、ＬＥＤ２５の１の位に表示されることになる。ここで、第２２図（ａ）の表示に至る前にはトラックＮｏ．が表示器に表示されておりこれが点滅している。また、Ｅに設定されているＦは“０”と表示される。なお、表示器に表示される数値は＃Ｖ−１において２Ｈｚの点滅動作がくり返し行われているままであるので、第２５図（ａ）に示す
という表示が点滅することになる。次いでフローは＃Ｖ−１７−１に進む。
　＃Ｖ−１７−１：ここで、１０キースイッチがオフされるまで待期する。オフされるとフローは＃Ｖ−１５−１に進む。
　＃Ｖ−１５−１：ここで消去スタンバイスイッチ７７がオンされているか否かを判別する。オンされている場合にはフローは＃Ｖ−１８に進みオンされていない場合には＃Ｖ−１５−２に進む。即ち消去スタンバイスイッチ７７をオンすることによって＃Ｖ−１において設定した消去スタンバイ状態は再び該スイッチ７７をオンすることによって＃Ｖ−１８以降のステップにより自動的に解除される。したがって解除用のスイッチを専用に設ける必要がない。
　＃Ｖ−１５−２：ここで、スイッチ７８および１０キー以外のスイッチがオンされているか否かを判別する。オンされている場合にはフローは＃Ｖ−１８に分岐し、オンされていない場合には＃Ｖ−４に分岐する。即ち消去スタンバイ状態は１０キー以外のスイッチをオンすることによっても＃Ｖ−１８以降のステップにより自動的に解除される。したがって解除用のスイッチを専用に設ける必要がない。したがってわざわざ別のスイッチを設ける必要はない。上述の＃Ｖ−１５−１、＃Ｖ１５−２のステップをＮＯでぬけた場合には、＃Ｖ−４以降の前述したステップをくり返すことになるが既に７セグメントＬＥＤ２５が第２５図に示す
を表示している際に＃Ｖ−４以降のステップを実行する際の動作について説明する。
　＃Ｖ−１５において１０キースイッチがオンされた場合＃Ｖ−１６において該スイッチにより入力された数値がバッファメモリーＥの１位に設定され、それまで１位に設定されていた数はバッファメモリーＥの１０位に移動し、１０位に設定されていた数は消滅する。
　ここで例えば１０キースイッチのうちの“５”のキーがオンされた場合には＃Ｖ−１６、＃Ｖ−１７を実行することにより７セグメントＬＥＤ２５には第２８図（ｂ）に示す表示が行われる。勿論この場合のバッファメモリＥに設定されている値は１５である。次いで同様に１０キースイッチにより“２”が入力されると第２５図（ｃ）に示す表示が行われる。以上の表示例は、消去スタンバイ状態において１０キースイッチのうち１、５、２を順にＯＮした場合のＬＥＤ２５によって行われる表示を示している。また、表示されている数値がそのままＥに設定されている値と一致している。つまり、１０キースイッチにより“２”以上の数値が設定された場合、これが、連続消去モードの選択と等しく、また、設定された数値が連続消去が実行されるトラック数となる。この様子は前述のフローの説明において＃Ｖ−１０においてバッファメモリーＥの値が０より大きい場合には、フローが＃Ｖ−１１に進み、そうでない場合は＃Ｖ−１８に分岐しトラックナンバーＮが５０より小さい場合には、＃Ｖ−１３においてトラックをＵＰして＃Ｖ−５−２に分岐し、＃Ｖ−６以降のステップを実行することにより連続消去が行われるわけである。つまり、＃Ｖ−１１において、ストップスイッチ６１がオンされなければ、Ｅの値が０に等しくなるか、又は最内周トラックである５０番トラックが消去されるまで、消去が連続的に行われることになる。次いで以上説明したステップを実行した後に実行する＃Ｖ−１８〜＃Ｖ−２０について説明する。
　＃Ｖ−１８：ここで、７セグメントＬＥＤ２５の点滅をストップし、トラックＮｏ．Ｎを表示器に表示させる。次いでフローは＃Ｖ−１９に到る。つまり、このステップ消去のスタンバイ状態が解除されることになる。
　＃Ｖ−１９：ここでスイッチ７７がオンされている場合には、待期し、オフされた場合に＃Ｖ−２０に進む。
　＃Ｖ−２０：ここでフローは第６図のＡに示すフローに戻る。
　以上説明したように、消去を実行する場合に本実施例においては消去を１回だけ行なうモードと連続的に行なうモード、特に予め連続して消去を行うトラック数を指定してから消去を行うモードとを有しているが、１０キースイッチにより消去トラック数を設定しなかった場合の消去については＃Ｖ−５−１においてＥの値が予め“ＦＦ”と設定されているために、＃Ｖ−５−２を経由せずに＃Ｖ−６に移る。したがって、消去のスタンバイ状態において、フィールドフラグがクリアされている場合には、フレームモードでの消去つまり２トラック分の消去が行なわれ、フィールドフラグがＳＥＴされている場合にはフィールドモードでのつまり１トラック分の消去が、実行されることになる。換言すればフレームモードで再生されていた場合には、再生に使用されている２トラック分をフィールドモードで再生されていた場合には、その再生トラック１トラック分を消去することになる。ただし、１０キースイッチにより消去トラック数が設定されれば＃Ｖ−５−２を経由するため常にフィールドモードでの消去が実行される。ただし、１０キースイッチより“０”が設定された場合には、＃Ｖ−５において、＃Ｖ−１８に分岐するために消去は実行されない。また、“１”が設定された場合には＃Ｖ−５−２でフィールドフラグがＳＥＴされるため、それまで、フレーム再生していた場合であってもフレーム画を構成する２トラックのうちの外周トラックのみが１トラック分消去されることになる。
　したがってフレーム画を構成する２トラックの一方のトラックに記録された信号だけを消去する様に出来る。
　また、連続トラック消去を行う場合には一般的に消去を行ったトラックに新たな例えば映像信号等の情報を記録することが多くの場合前提となるものである。上述の実施例においては連続トラック消去が完了した際にはヘッド３−１は最後に消去したトラック上に位置しているため新たな情報の記録を行うに際しては使用者がトラックＵＰスイッチ５４トラックＤＯＷＮスイッチ５５を操作して消去を開始したトラック上にヘッド３−１がアクセスする様にすることが必要となる。
　そこで次には連続トラック消去を実行し、これが完了した場合に、連続消去を開始したトラックに自動的にヘッド３−１をアクセスさせるという操作性のうえではなはだ有効な機能を実現するためのフローを第２９図に示す。第２９図に示すフローは第２７図に示す＃Ｖ−１８、＃Ｖ−１９の各ステップの間に挿入されるフローである。
　まず、サブルーチンＶを実行するに際して＃Ｖ−１においてその時アクセスしているトラックナンバーＮをメモリーＮ’に記憶させておく。そして、前述したフローに従って消去が実行され＃Ｖ−１８に至った後、第２９図に示すフローが実行される。即ち＃Ｖ−１８−１においてその時にヘッド３−１がアクセスしているトラックのナンバーが＃Ｖ−１においてメモリーＮ’に記憶されているトラックのナンバーと一致しているかを判別し、一致していない場合には＃Ｖ−１８−２、＃Ｖ−１８−３を実行し、ヘッド３−１が１トラック分外周のトラックをアクセスする様に制御されるとともにＮにＮ−１を設定し、７セグメントＬＥＤ２５にメモリーＮの表示が行われる。次いでフローは＃Ｖ−１８−１へ戻り、ヘッド３−１がアクセスしているトラックのナンバーがメモリＮ’に記憶されているトラックのナンバーと一致するまで＃Ｖ−１８−２、＃Ｖ１８−３をくり返し、ヘッド３−１が消去を開始したトラックをアクセスすると＃Ｖ１８−１から＃Ｖ−１９にフローは分岐し、前述した＃Ｖ−１９以降のステップが実行される。したがって第２９図に示すフローを実行することによって消去終了時にはヘッド３−１が自動的に消去を開始したトラックをアクセスするので次の記録に際して消去を開始した位置を手動で捜す操作を省略することが出来る。
　また、連続消去を行なう時に、消去される映像を一定時間再生し、これを操作者に確認させ更にストップスイッチ６１がオンされているか否かを判別したうえでそのトラックの消去実行動作に入ることは誤消去を防止するうえではなはだ有効である。
　この機能を実現するためには第２７図に示したサブルーチンＶの＃Ｖ−１３において１トラックＵＰ、ＮにＮ＋１を実行した後＃Ｖ−７を実行するまでの間望ましくは＃Ｖ−６の直後のステップにおいて例えば１秒程度の遅延のためのステップを設け、更にこの遅延の間にストップスイッチ６１がオンされたか否かを判別し、オンされていなければ＃Ｖ−７へ、オンされれば＃Ｖ−１８に分岐するステップを設ければよい。
　このようなステップを設けることにより消去される映像信号を確認できるため消去したくない映像が再生された場合にはストップスイッチ６１をオンすることにより連続消去を中断できる。よって誤消去を行なう確率は飛躍的に少なくなる。
　また、連続消去を行なう場合、上述した実施例においてはサブルーチン▲Ｖ▼において＃Ｖ５−１から＃Ｖ５−２へフローが分岐して、＃Ｖ５−２を実行することによってすべてフィールドモードで１トラック分づつを順に消去しているが連続消去の実行時間を短縮するために、フレームモードで２つのヘッドに同時に消去信号を流すことにより連続トラック消去の際には少なくとも１回は２トラック分づつ消去することは有効である。この場合の実施例について以下に述べる。
　まず、第３０図において第３０図（ａ）に示すフローは第２７図に示す＃Ｖ−６、＃Ｖ−７のステップの間に挿入されるステップであり、第３０図（ｂ）に示すフローは＃Ｖ−１１、＃Ｖ−１２のステップの間に挿入されるステップである。次にかかるフローについて説明する。
　第２７図に示すサブルーチン▲Ｖ▼を＃Ｖ−６まで実行した後に該＃Ｖ−６に続いて＃Ｖ−６−１が実行される。このステップでは消去トラックバッファーＥが２以上であるか否か即ち連続トラック消去か否かがを判別される。ここで２以上であった場合には、フローは＃Ｖ６−２に進み、そうでない場合は＃Ｖ−７に進む。＃Ｖ−６−２において、ＥにＥ−１を設定し、フィールドフラグをクリアする。フローは＃Ｖ−７に至る。ここで第２７図に示す＃Ｖ−７において消去信号が発生させられるが、この場合フィールドフラグがセットされている場合には、ヘッド３−１、３−２の一方のヘッド、つまりフィールド再生を行なっている場合のヘッドに消去信号が供給されフィールドフラグがクリアされている場合にはヘッド３−１、３−２両方に同時に消去信号が供給されることになる。消去が終了してから＃Ｖ−８〜＃Ｖ−１１を前述の通り実行し、連続消去動作が完了していない場合にはフローは＃Ｖ−１１より＃Ｖ−１１−１に至り、フィールドフラグがＳＥＴされているか否かを判別する。連続トラック消去が設定されておらず、フィールドフラグがセットされている場合にはフローは＃Ｖ−１２に進み、上述したフローに従う。また＃Ｖ−１１−１において連続トラック消去が設定されており、フィールドフラグがセットされていない場合には、前述した通り＃Ｖ−７において２トラック分の消去が行なわれていることにより、＃Ｖ−１１−２にフローが至り、ＮにＮ＋１が設定され１トラック内周側にヘッド３−１、３−２が移動する。その後フローは＃Ｖ−１３に至り、上述したフローに従い、更に１トラック内周側にヘッドが移動する。
　以上のようにすれば、連続消去を実行する際、連続消去の残りトラック数が１になるまで消去はフレームモードで行なわれることになり連続消去の実行スピードを速くすることができる。ただし、この場合、消去実行前に消去される映像を確認する場合には、＃Ｖ−６に続いて、フィールドフラグがＳＥＴされている時には一定時間図１のヘッド３−１、３−２をそれぞれ選択してヘッド３−１によるフィールド再生、３−２によるフィールド再生を行うようにすることが必要である。また＃Ｖ−２、＃Ｖ−３のステップを省略して、ＰＢモード、ＲＥＣモードとを切り換えることにより特に、連続消去の実行時に消去される再生映像を確認するモードと確認しないモードとを選択する様にしてもよい。つまり、連続消去を行なう場合に消去される映像を確認しないモードを選択し、第３０図（ａ）、（ｂ）に示すフローを第２７図に示したフローに追加した場合には連続消去の時間は最短となる、これは全トラックの消去を行なう場合などにははなはだ有効な手段となる。
　次に全トラック消去スタンバイスイッチ７９がオンされた際に実行されるサブルーチン▲Ｗ▼について第３１図を用いて説明する。
　＃Ｗ−１：７セグメントＬＥＤ２５に全トラック消去スタンバイ状態である事を示す
（ＡＬＬ−ＥＲＡＳＥ）を２Ｈｚで点滅させる。
　＃Ｗ−２：ＰＢモードフラグがセットされているか否かを判別し、セットされていなければ＃Ｗ−３へされていれば＃Ｗ−４へフローは分岐する。
　＃Ｗ−３−１：ＰＢモードフラグをクリアして磁気シート１の再生を禁止する。
　＃Ｗ−３−２：スイッチ７９がオフになったことを検出して＃Ｗ−４に進む。
　＃Ｗ−４：消去スイッチ７８がオンか否かを判別し、オンであれば＃Ｗ−９へ、オンでなければ＃Ｗ−５へフローは分岐する。
　＃Ｗ−５：全トラック消去スタンバイスイッチ７９がオンされたか否かを判別する。オンであれば＃Ｗ−７へ、オンでなければ＃Ｗ−６へフローは分岐する。
　＃Ｗ−６：スイッチ７９以外のスイッチがオンされたか否かを判別する。オンであれば＃Ｗ−７へ、オンでなければ＃Ｗ−４へフローは分岐する。
　＃Ｗ−７：ＬＥＤ２５の点滅を停止させ、ＬＥＤ２５にＮすなわちヘッド３−１のアクセスしているトラックナンバーを表示させる。
　＃Ｗ−８スイッチ７９がオフされるまで待期してオフされた場合には▲Ａ▼に戻る。
　＃Ｗ−９：＃Ｗ−４において消去スイッチ７８がオンされた際にはフローはこのステップに分岐する。このステップでは不図示の誤消去防止爪があるか否かを判別する、あれば＃Ｗ−１０へ、なければ＃Ｗ−７へフローは分岐する。
　＃Ｗ−１０：Ｎが“１”すなわちヘッド３−１のアクセスしているトラックナンバーが“１”であるか否かを判別し、“１”であれば＃Ｗ−１２へ“１”でなければ＃Ｗ−１１へフローは分岐する。
　＃Ｗ−１１：ヘッド３−１、３−２を１トラック分の外周側に移動させ、更にＮから１を減算してフローは＃Ｗ−１０へ戻る。したがって＃Ｗ−１０、＃Ｗ−１１をくり返し実行することによってヘッド３−１のアクセスしているトラックのナンバーが１となった際に初めてフローは＃Ｗ−１２へ分岐する。
　＃Ｗ−１２：ＬＥＤ２５にＮを点滅表示（５Ｈｚ）させる。これにより使用者は全トラック消去の際にどのトラックまで消去が行われたかを知ることが出来る。
　＃Ｗ−１３：フィールドフラグをクリアしてフレームモードが設定される。したがってヘッド３−１、３−２をともに用いてトラックの消去が行われる。
　＃Ｗ−１４：この両２ステップは＃Ｖ−７、＃Ｖ−８、＃Ｗ−１５と同じである。
　＃Ｗ−１６：ヘッド３−１、３−２がともに用いられてヘッドを移動させることなく２トラックの消去が行われるため、このステップにおいては２トラック分ヘッドを外周側に移動させ、更にＮに２を加算する。
　＃Ｗ−１７：Ｎが５０であるか否かを判別し、５０である場合には＃Ｗ−７へ、５０でなければ＃Ｗ−１２へフローは分岐し、全トラックの消去が完了するまで＃Ｗ−１２〜＃Ｗ−１７のステップがくり返される。
　以上説明した様に全トラック消去スタンバイスイッチをオンした後に消去スイッチをオンすることによって実行される全トラック消去モードにおいては消去を行う前にＰＢモードフラグをクリアして、消去される映像を確認しない様にし、また、磁気ヘッド３−１、３−２の両方を用いて２トラックづつ消去を行う様にしたので１トラックづつ消去を行う方法に比して全トラックの消去に要する時間は極めて短く済む。更に全トラックの消去の際には予めヘッドをトラックの端部（本実施例では最外周）に移動させてから反対側の端部に向けて全トラックを順に消去しているので全トラックの消去を行おうとする場合にどの位置にヘッド３−１がアクセスしていても確実に全トラックの消去を行うことが出来る。
　更に消去中はヘッド３−１のアクセスしているトラックのナンバーをＬＥＤ２５にて表示しているので使用者はどの程度消去動作が行われつつあるかを認識することができる。
　上述の実施例においては記録媒体として磁気シート１としたが、光記録媒体であってもよい。光磁気記録媒体や他の記録媒体を用いるようにしてもよい。記録手段としては記録媒体に応じた手段、例えば光ディスクの場合には光学的なヘッドを用いればよい。
　本実施例においては外部装置の再生された情報が既に送られている際の異常を判別する判別手段として第３３図の＃Ｋ−２１’−２のステップとし、該手段により異常が判別された際に於ける前記媒体の再生状態を表示する表示手段として表示装置２５’及び第３３図の＃Ｋ−２１’−４のステップとした。
　　〔発明の効果〕
　上述の説明から明らかなように、本発明は、記録媒体に記録された複数画面の画像情報の再生を行い、該画像情報を書く画面毎に処理する外部装置に送る再生装置であって、前記画像情報の再生を行う再生手段と、前記外部装置における異常を検出する検出手段と、各種表示を行う表示手段と、前記検出手段の検出出力に応じて所定の動作制御を行う制御手段とを備え、前期制御手段は、前記再生手段及び表示手段に対して、該画像情報を各画面毎に処理する外部装置に送る動作の開始前に異常が検出された場合と、各画像情報を各画面毎に処理する外部装置に送り処理させている途中に異常が検出された場合とで異なる動作を行わせるように制御するように構成することにより、その後の復旧を行い易くすることができる。
【図面の簡単な説明】
　第１図は本発明の一実施例の構成を示すブロック図、第２図は第１図に示したＳＷ２〜ＳＷ５の切換状態の組み合わせを示す図、第３図は本実施例の装置の正面図、第４図は該装置とともに用いられるリモートコントロール装置の正面図、第５図〜第１５図，第１６−１図〜第１６−３図，第１７図〜第２０図，第２３図，第２５図〜第２７図，第２９〜第３１図は第１図に示したＣＰＵ４０のフローチャート、第２１図，第２２図，第２４図は　モニタに表示されるＩ・Ｄ信号を説明するための図、第２８図は第２７図のフローを説明するための図、第３２図は第１図に示した消去信号発生器８５から発生される信号を説明するための図である。
１……磁気シート
３−１、３−２……ヘッド
４０……ＣＰＵ